(57)【要約】  表示制御システム１００は、複数の画素４０が設けられて画像を表示する表示部２１を有する表示装置２０と、表示部２１上の位置を指示するデジタルペン１０とを備え、デジタルペン１０に指示された位置に応じた表示制御を行う。表示部２１には、ドットパターンが設けられている。デジタルペン１０は、表示部２１上における指示位置のドットパターンを光学的に読み取る。画素４０は、異なる三色のサブ画素４１を有している。ドットパターンは、複数のドット３３の集合で構成されている。半数以上のドット３３は、赤色のサブ画素４１ｒに設けられている。
2013161246.tif 000002
【特許請求の範囲】
【請求項１】
複数の画素が設けられて画像を表示する表示部を有する表示装置と、前記表示部上の位置を指示する指示装置とを備え、該指示装置に指示された位置に応じた表示制御を行う表示制御システムであって、
前記表示部には、該表示部上の位置を表す位置情報パターンが設けられ、
前記指示装置は、前記表示部上において指示している位置の前記位置情報パターンを光学的に読み取るように構成され、
前記画素は、複数の異なる色のサブ画素を有し、
前記位置情報パターンは、複数のマークの集合で構成され、
前記マークのうち半数以上は、前記複数の異なる色のうちの特定の一色の前記サブ画素に設けられている表示制御システム。
【請求項２】
請求項１に記載の表示制御システムにおいて、
全ての前記マークは、前記特定の一色の前記サブ画素に設けられている表示制御システム。
【請求項３】
請求項１又は２に記載の表示制御システムにおいて、
前記特定の一色は、前記複数の異なる色のうちの視感度が最も高い色以外の色である表示制御システム。
【請求項４】
請求項１乃至３の何れか１つに記載の表示制御システムにおいて、
前記マークは、前記特定の一色の前記サブ画素の全てに設けられている表示制御システム。
【請求項５】
複数の画素が設けられて画像を表示する表示部を有する表示装置と、前記表示部上の位置を指示する指示装置とを備え、該指示装置に指示された位置に応じた表示制御を行う表示制御システムであって、
前記表示部には、該表示部上の位置を表す位置情報パターンが設けられ、
前記指示装置は、前記表示部上において指示している位置の前記位置情報パターンを光学的に読み取るように構成され、
前記画素は、複数の異なる色のサブ画素を有し、
前記位置情報パターンは、前記サブ画素に設けられた複数のマークの集合で構成され、
各色の前記サブ画素のうち、視感度が最も高い色の前記サブ画素に設けられた前記マークの数が最も少ない表示制御システム。
【請求項６】
複数の画素が設けられて画像を表示する表示部を有する表示装置と、前記表示部上の位置を指示する指示装置とを備え、該指示装置に指示された位置に応じた表示制御を行う表示制御システムであって、
前記表示部には、該表示部上の位置を表す位置情報パターンが設けられ、
前記指示装置は、前記表示部上において指示している位置の前記位置情報パターンを光学的に読み取るように構成され、
前記画素は、複数の異なる色のサブ画素を有し、
前記位置情報パターンは、前記サブ画素に設けられた複数のマークの集合で構成され、
各色の前記サブ画素のうち、視感度が最も低い色の前記サブ画素に設けられた前記マークの数が最も多い表示制御システム。
【請求項７】
請求項５又は６に記載の表示制御システムにおいて、
前記マークは、前記視感度が最も高い色の前記サブ画素に設けられておらず、該視感度が最も高い色以外の色の前記サブ画素に設けられている表示制御システム。
【請求項８】
請求項２乃至７の何れか１つに記載の表示制御システムにおいて、
前記サブ画素は、赤色のサブ画素と緑色のサブ画素と青色のサブ画素とを含み、
前記視感度が最も高い色は、緑色である表示制御システム。
【請求項９】
複数の画素が設けられて画像を表示する表示部を有する表示装置であって、
前記表示部には、外部から光学的に読み取り可能であって該表示部上の位置を表す位置情報パターンが設けられ、
前記画素は、複数の異なる色のサブ画素を有し、
前記位置情報パターンは、複数のマークの集合で構成され、
前記マークのうち半数以上は、前記複数の異なる色のうちの特定の一色の前記サブ画素に設けられている表示装置。
【請求項１０】
請求項９に記載の表示装置において、
全ての前記マークは、前記特定の一色の前記サブ画素に設けられている表示装置。
【請求項１１】
請求項９又は１０に記載の表示装置において、
前記特定の一色は、前記複数の異なる色のうちの視感度が最も高い色以外の色である表示装置。
【請求項１２】
請求項９乃至１１の何れか１つに記載の表示装置において、
前記マークは、前記特定の一色の前記サブ画素の全てに設けられている表示装置。
【請求項１３】
複数の画素が設けられて画像を表示する表示部を有する表示装置であって、
前記表示部には、外部から光学的に読み取り可能であって該表示部上の位置を表す位置情報パターンが設けられ、
前記画素は、複数の異なる色のサブ画素を有し、
前記位置情報パターンは、前記サブ画素に設けられた複数のマークの集合で構成され、
各色の前記サブ画素のうち、視感度が最も高い色の前記サブ画素に設けられた前記マークの数が最も少ない表示装置。
【請求項１４】
複数の画素が設けられて画像を表示する表示部を有する表示装置であって、
前記表示部には、外部から光学的に読み取り可能であって該表示部上の位置を表す位置情報パターンが設けられ、
前記画素は、複数の異なる色のサブ画素を有し、
前記位置情報パターンは、前記サブ画素に設けられた複数のマークの集合で構成され、
各色の前記サブ画素のうち、視感度が最も低い色の前記サブ画素に設けられた前記マークの数が最も多い表示装置。
【請求項１５】
請求項１３又は１４に記載の表示装置において、
前記マークは、前記視感度が最も高い色の前記サブ画素に設けられておらず、該視感度が最も高い色以外の色の前記サブ画素に設けられている表示装置。
【請求項１６】
請求項１１乃至１５の何れか１つに記載の表示装置において、
前記サブ画素は、赤色のサブ画素と緑色のサブ画素と青色のサブ画素とを含み、
前記視感度が最も高い色は、緑色である表示装置。
【請求項１７】
複数の画素が設けられて画像を表示する表示部を有する表示パネルであって、
前記表示部には、外部から光学的に読み取り可能であって前記表示部上の位置を表す位置情報パターンが設けられ、
前記画素は、複数の異なる色のサブ画素を有し、
前記位置情報パターンは、複数のマークの集合で構成され、
前記マークの半数以上は、前記複数の異なる色のうちの特定の一色の前記サブ画素に設けられている表示パネル。
【請求項１８】
請求項１７に記載の表示パネルにおいて、
全ての前記マークは、前記特定の一色の前記サブ画素に設けられている表示パネル。
【請求項１９】
請求項１７又は１８に記載の表示パネルにおいて、
前記特定の一色は、前記複数の異なる色のうちの視感度が最も高い色以外の色である表示パネル。
【請求項２０】
請求項１７乃至１９の何れか１つに記載の表示パネルにおいて、
前記マークは、前記特定の一色の前記サブ画素の全てに設けられている表示パネル。
【請求項２１】
複数の画素が設けられて画像を表示する表示部を有する表示パネルであって、
前記表示部には、外部から光学的に読み取り可能であって該表示部上の位置を表す位置情報パターンが設けられ、
前記画素は、複数の異なる色のサブ画素を有し、
前記位置情報パターンは、前記サブ画素に設けられた複数のマークの集合で構成され、
各色の前記サブ画素のうち、視感度が最も高い色の前記サブ画素に設けられた前記マークの数が最も少ない表示パネル。
【請求項２２】
複数の画素が設けられて画像を表示する表示部を有する表示パネルであって、
前記表示部には、外部から光学的に読み取り可能であって該表示部上の位置を表す位置情報パターンが設けられ、
前記画素は、複数の異なる色のサブ画素を有し、
前記位置情報パターンは、前記サブ画素に設けられた複数のマークの集合で構成され、
各色の前記サブ画素のうち、視感度が最も低い色の前記サブ画素に設けられた前記マークの数が最も多い表示パネル。
【請求項２３】
請求項２１又は２２に記載の表示パネルにおいて、
前記マークは、前記視感度が最も高い色の前記サブ画素に設けられておらず、該視感度が最も高い色以外の色の前記サブ画素に設けられている表示パネル。
【請求項２４】
請求項１９乃至２３の何れか１つに記載の表示パネルにおいて、
前記サブ画素は、赤色のサブ画素と緑色のサブ画素と青色のサブ画素とを含み、
前記視感度が最も高い色は、緑色である表示パネル。
【発明の詳細な説明】
【技術分野】
【０００１】
ここに開示された技術は、表示装置の表示部に指示装置を用いて指示入力が可能な表示制御システム、その表示装置又はその表示パネルに関するものである。
【背景技術】
【０００２】
従来より、ペンを用いて紙の上に文字等を記入する際に、紙に記入した情報を電子化し、その電子化された情報をサーバや端末に送信する技術が知られている。
【先行技術文献】
【特許文献】
【０００３】
【特許文献１】特開２００７−２２６５７７号公報
【発明の概要】
【発明が解決しようとする課題】
【０００４】
ところで、近年、スタイラスのような筆記具を用いて表示装置の表示面に文字等を記入することによって、該表示面に筆記具の軌跡をそのまま表示させるという手書き入力可能なシステムが開発されている。しかし、そのようなシステムは、未だ発展途上である。特に、高精細な手書き入力の点においては、まだまだ開発の余地がある。【０００５】
このような表示制御システムの１つとして、画像を表示する表示部を有する表示装置と、前記表示部上の位置を指示する指示装置とを備え、該指示装置に指示された位置に応じた表示制御を行う表示制御システムであって、前記表示部に、該表示部上の位置を表す位置情報パターンを設け、前記指示装置が、前記表示部上において指示している位置の位置情報パターンを読み取ることによって、表示装置が軌跡表示等を行う表示制御システムが考えられる。【０００６】
このような構成においては、次のような問題が生じることが予想される。すなわち、表示部は、本来、画像を表示するものであるので、その表示部に位置情報パターンが設けられると、表示部の表示画像にムラが生じる虞がある。【０００７】
ここに開示された技術は、かかる点に鑑みてなされたものであり、その目的とするところは、表示部におけるムラを抑制することにある。
【課題を解決するための手段】
【０００８】
ここに開示された技術は、複数の画素が設けられて画像を表示する表示部を有する表示装置と、前記表示部上の位置を指示する指示装置とを備え、該指示装置に指示された位置に応じた表示制御を行う表示制御システムが対象である。そして、前記表示部には、該表示部上の位置を表す位置情報パターンが設けられ、前記指示装置は、前記表示部上において指示している位置の前記位置情報パターンを光学的に読み取るように構成され、前記画素は、複数の異なる色のサブ画素を有し、前記位置情報パターンは、複数のマークの集合で構成され、前記マークのうち半数以上は、前記複数の異なる色のうちの特定の一色の前記サブ画素に設けられている。【０００９】
ここに開示された別の技術は、複数の画素が設けられて画像を表示する表示部を有する表示装置と、前記表示部上の位置を指示する指示装置とを備え、該指示装置に指示された位置に応じた表示制御を行う表示制御システムが対象である。そして、前記表示部には、該表示部上の位置を表す位置情報パターンが設けられ、前記指示装置は、前記表示部上において指示している位置の前記位置情報パターンを光学的に読み取るように構成され、前記画素は、複数の異なる色のサブ画素を有し、前記位置情報パターンは、前記サブ画素に設けられた複数のマークの集合で構成され、各色の前記サブ画素のうち、視感度が最も高い色の前記サブ画素に設けられた前記マークの数が最も少ない。【００１０】
ここに開示された別の技術は、複数の画素が設けられて画像を表示する表示部を有する表示装置と、前記表示部上の位置を指示する指示装置とを備え、該指示装置に指示された位置に応じた表示制御を行う表示制御システムが対象である。そして、前記表示部には、該表示部上の位置を表す位置情報パターンが設けられ、前記指示装置は、前記表示部上において指示している位置の前記位置情報パターンを光学的に読み取るように構成され、前記画素は、複数の異なる色のサブ画素を有し、前記位置情報パターンは、前記サブ画素に設けられた複数のマークの集合で構成され、各色の前記サブ画素のうち、視感度が最も低い色の前記サブ画素に設けられた前記マークの数が最も多い。【００１１】
ここに開示された別の技術は、複数の画素が設けられて画像を表示する表示部を有する表示装置が対象である。そして、前記表示部には、外部から光学的に読み取り可能であって該表示部上の位置を表す位置情報パターンが設けられ、前記画素は、複数の異なる色のサブ画素を有し、前記位置情報パターンは、複数のマークの集合で構成され、前記マークのうち半数以上は、前記複数の異なる色のうちの特定の一色の前記サブ画素に設けられている。【００１２】
ここに開示された別の技術は、複数の画素が設けられて画像を表示する表示部を有する表示装置が対象である。そして、前記表示部には、外部から光学的に読み取り可能であって該表示部上の位置を表す位置情報パターンが設けられ、前記画素は、複数の異なる色のサブ画素を有し、前記位置情報パターンは、前記サブ画素に設けられた複数のマークの集合で構成され、各色の前記サブ画素のうち、視感度が最も高い色の前記サブ画素に設けられた前記マークの数が最も少ない。【００１３】
ここに開示された別の技術は、複数の画素が設けられて画像を表示する表示部を有する表示装置が対象である。そして、前記表示部には、外部から光学的に読み取り可能であって該表示部上の位置を表す位置情報パターンが設けられ、前記画素は、複数の異なる色のサブ画素を有し、前記位置情報パターンは、前記サブ画素に設けられた複数のマークの集合で構成され、各色の前記サブ画素のうち、視感度が最も低い色の前記サブ画素に設けられた前記マークの数が最も多い。【００１４】
ここに開示された別の技術は、複数の画素が設けられて画像を表示する表示部を有する表示パネルが対象である。そして、前記表示部には、外部から光学的に読み取り可能であって前記表示部上の位置を表す位置情報パターンが設けられ、前記画素は、複数の異なる色のサブ画素を有し、前記位置情報パターンは、複数のマークの集合で構成され、前記マークの半数以上は、前記複数の異なる色のうちの特定の一色の前記サブ画素に設けられている。【００１５】
ここに開示された別の技術は、複数の画素が設けられて画像を表示する表示部を有する表示パネルが対象である。そして、前記表示部には、外部から光学的に読み取り可能であって該表示部上の位置を表す位置情報パターンが設けられ、前記画素は、複数の異なる色のサブ画素を有し、前記位置情報パターンは、前記サブ画素に設けられた複数のマークの集合で構成され、各色の前記サブ画素のうち、視感度が最も高い色の前記サブ画素に設けられた前記マークの数が最も少ない。【００１６】
ここに開示された別の技術は、複数の画素が設けられて画像を表示する表示部を有する表示パネルが対象である。そして、前記表示部には、外部から光学的に読み取り可能であって該表示部上の位置を表す位置情報パターンが設けられ、前記画素は、複数の異なる色のサブ画素を有し、前記位置情報パターンは、前記サブ画素に設けられた複数のマークの集合で構成され、各色の前記サブ画素のうち、視感度が最も低い色の前記サブ画素に設けられた前記マークの数が最も多い。
【発明の効果】
【００１７】
前記表示制御システムによれば、表示部におけるムラを抑制することができる。【００１８】
前記表示装置によれば、表示部におけるムラを抑制することができる。【００１９】
前記表示パネルによれば、表示部におけるムラを抑制することができる。
【図面の簡単な説明】
【００２０】
【図１】図１は、実施形態１に係る表示制御システムの概略図である。
【図２】図２は、表示制御システムのブロック図である。
【図３】図３は、表示パネルの概略断面図である。
【図４】図４は、表示部の拡大図である。
【図５】図５は、デジタルペンの概略断面図である。
【図６】図６は、カラーフィルタの平面図である。
【図７】図７は、ドットの配置パターンを示す図であり、（Ａ）は、符号「１」に対応する配置を、（Ｂ）は、符号「２」に対応する配置を、（Ｃ）は、符号「３」に対応する配置を、（Ｄ）は、符号「４」に対応する配置を示す。
【図８】図８は、表示制御システムの処理の流れを示すフローチャートである。
【図９】図９は、変形例に係るカラーフィルタの平面図である。
【図１０】図１０は、ドットの配置パターンを示す図であり、（Ａ）は、符号「１」に対応する配置を、（Ｂ）は、符号「２」に対応する配置を、（Ｃ）は、符号「３」に対応する配置を、（Ｄ）は、符号「４」に対応する配置を示す。
【図１１】図１１は、別の変形例に係るカラーフィルタの平面図である。
【図１２】図１２は、実施形態２に係るカラーフィルタの平面図である。
【図１３】図１３は、ドットの配置パターンを示す図であり、（Ａ）は、符号「１」に対応する配置を、（Ｂ）は、符号「２」に対応する配置を、（Ｃ）は、符号「３」に対応する配置を、（Ｄ）は、符号「４」に対応する配置を示す。
【図１４】図１４は、変形例に係るドットの配置パターンを示す図であり、（Ａ）は、符号「１」に対応する配置を、（Ｂ）は、符号「２」に対応する配置を、（Ｃ）は、符号「３」に対応する配置を、（Ｄ）は、符号「４」に対応する配置を示す。
【図１５】図１５は、その他の実施形態に係るデジタルペンの概略断面図である。
【図１６】図１６は、その他の実施形態に係る表示制御システムのブロック図である。
【図１７】図１７は、表示制御システムの処理の流れを示すフローチャートである。
【発明を実施するための形態】
【００２１】
以下、実施形態を図面に基づいて詳細に説明する。
【００２２】
《発明の実施形態１》
［１．表示制御システムの概要］
図１は、実施形態１に係る表示制御システム１００の外観を示す概略図である。表示制御システム１００は、光学式デジタルペン（以下、単に「デジタルペン」と称する。）１０と、表示装置２０とを備えている。詳しくは後述するが、表示装置２０は、液晶ディスプレイであり、表示部２１に様々な画像を表示することができる。また、表示装置２０には、表示部２１上における位置を表すドットパターンが設けられている。デジタルペン１０は、ドットパターンを光学的に読み取ることによって、表示部２１上におけるデジタルペン１０の位置に関する情報（以下、「位置情報」ともいう）を検出し、該位置情報を表示装置２０に送信する。表示装置２０は、該位置情報を入力として受け取り、様々な表示制御を行う。例えば、表示装置２０は、デジタルペン１０の軌跡に応じて表示部２１に点を連続的に表示する。これにより、デジタルペン１０を用いて表示部２１に文字や図形等を手書き入力することができる。または、表示装置２０は、デジタルペン１０の軌跡に応じて表示部２１の点を連続的に消去する。これにより、デジタルペン１０を消しゴムのように用いて表示部２１の文字や図形を消去することができる。すなわち、デジタルペン１０は、読み取り装置として機能すると共に、表示制御システム１００への入力装置としても機能する。デジタルペン１０は、指示装置の一例である。
【００２３】
［２．表示装置の構成］
以下、表示装置２０について説明する。図２は、表示制御システム１００の概略構成を示すブロック図である。
【００２４】
表示装置２０は、外部からの信号を受信する受信部２２と、表示装置２０全体を制御する表示側マイコン２３と、画像を表示する表示パネル２４とを有している。
【００２５】
受信部２２は、詳しくは後述する、デジタルペン１０から送信された信号を受信する。受信部２２が受信した信号は、表示側マイコン２３に送られる。
【００２６】
表示側マイコン２３は、ＣＰＵやメモリなどから構成されており、ＣＰＵを動作させるためのプログラムも実装されている。例えば、表示側マイコン２３は、デジタルペン１０から送信された信号に基づいて表示パネル２４を制御して、表示パネル２４に表示させる内容を変更する。
【００２７】
図３は、表示パネル２４の概略断面図である。表示パネル２４は、液晶パネルである。表示パネル２４の基本的な構成は、一般的な液晶パネルの構成と同様である。詳しくは、表示パネル２４は、一対のガラス基板２５と、各ガラス基板２５の外表面に設けられた偏光フィルタ２６と、一対のガラス基板２５の間に設けられた一対の配向膜２７と、一対の配向膜２７の間に設けられた液晶層２８と、各配向膜２７に設けられた透明電極２９と、表面側のガラス基板２５と透明電極２９との間に設けられたカラーフィルタ３０とを有している。表示パネル２４の表面には、表示部２１が形成されている。
【００２８】
図４は、表示部２１の拡大図である。表示部２１には、複数の画素４０が設けられている。表示部２１には、複数の画素４０が行列状に配列されている。各画素４０は、赤色のサブ画素４１ｒと、緑色のサブ画素４１ｇと、青色のサブ画素４１ｂとを含んでいる。尚、色を区別しないときには、単に、「サブ画素４１」と称する。この表示部２１に様々な画像が表示される。詳しくは後述するが、サブ画素４１には、ドット３３が設けられている。そして、複数のドット３３の集合でドットパターンを形成している。ドットパターンは、位置情報パターンの一例である。ドット３３は、マークの一例である。
【００２９】
［３．デジタルペンの構成］
次に、デジタルペン１０の詳細な構成について説明する。図５は、デジタルペン１０の概略構成を示す断面図である。
【００３０】
デジタルペン１０は、円筒状の本体部１１と、本体部１１の先端に取り付けられたペン先部１２と、ペン先部１２に作用する圧力を検出する圧力センサ１３と、赤外光を出射する照射部１４と、入射してきた赤外光を読み取る読取部１５と、デジタルペン１０を制御する制御部１６と、外部へ信号を出力する送信部１７と、デジタルペン１０の各部材に電力を供給する電源１９とを有している。
【００３１】
本体部１１は、一般的なペンと同様の円筒で形成されている。ペン先部１２は、先細形状であって、その先端は表示部２１の表面を傷つけない程度に丸く形成されている。また、ペン先部１２の形状は、ユーザが表示部２１に表示される画像を認識しやすい形状であることが好ましい。
【００３２】
圧力センサ１３は、本体部１１に内蔵され、ペン先部１２の基端部に連結されている。圧力センサ１３は、ペン先部１２に加わる圧力を検出し、その検出結果を制御部１６へ送信する。具体的には、圧力センサ１３は、ユーザがデジタルペン１０を用いて表示部２１上に文字などを記入する際にペン先部１２に加わる圧力を検出する。つまり、圧力センサ１３は、デジタルペン１０を用いたユーザの入力意思の有無を判定する際に用いられる。
【００３３】
照射部１４は、本体部１１の先端部であって、ペン先部１２の近傍に設けられている。照射部１４は、例えば、赤外線ＬＥＤで構成されており、本体部１１の先端から赤外光を照射するように構成されている。
【００３４】
読取部１５は、本体部１１の先端部であって、ペン先部１２の近傍に設けられている。読取部１５は、対物レンズ１５ａと、撮像素子１５ｂとを有している。対物レンズ１５ａは、入射してくる光を撮像素子１５ｂに結像させる。対物レンズ１５ａは本体部１１の先端部に設けられているので、対物レンズ１５ａには、照射部１４から出射され、表示装置２０で反射した赤外光が入射する。撮像素子１５ｂは、対物レンズ１５ａの光軸上に設けられている。撮像素子１５ｂは、撮像面に結像した光学像を電気信号に変換して制御部１６へ出力する。撮像素子１５ｂは、例えば、ＣＣＤイメージセンサやＣＭＯＳイメージセンサで構成される。詳しくは後述するが、前記ドットパターンは赤外光を吸収する材料で形成されているので、ドットパターンからは赤外光が返ってこない。その結果、ドットパターンが黒く表現された光学像が撮像素子１５ｂに撮像される。
【００３５】
制御部１６は、図２に示すように、特定部１６ａと、ペン側マイコン１６ｂとを有する。特定部１６ａは、読取部１５からの画像信号に基づいてデジタルペン１０の表示部２１上の位置情報を特定する。詳しくは、特定部１６ａは、読取部１５が取得した画像信号からドットパターンを取得し、該ドットパターンに基づいてペン先部１２の、表示部２１上の位置を特定する。特定部１６ａにより特定されたペン先部１２の位置に関する情報は、ペン側マイコン１６ｂへ送られる。ペン側マイコン１６ｂ、デジタルペン１０全体を制御する。ペン側マイコン１６ｂは、ＣＰＵやメモリなどから構成されており、ＣＰＵを動作させるためのプログラムも実装されている。
【００３６】
送信部１７は、信号を外部に送信する。具体的には、送信部１７は、特定部１６ａにより特定した位置情報を外部へ無線送信する。送信部１７は、表示装置２０の受信部２２と近距離無線通信を行う。送信部１７は、本体部１１のうちペン先部１２とは反対側の端部に設けられている。
【００３７】
［４．カラーフィルタの詳細構造］
続いて、カラーフィルタ３０の詳細構造について説明する。図６は、カラーフィルタ３０の平面図である。
【００３８】
カラーフィルタ３０は、ブラックマトリクス３１と、該ブラックマトリクス３１により区画され、特定の色の光を透過させる複数の画素領域３２と、画素領域３２内に設けられたドット３３とを有している。各画素領域３２は、長方形状をしている。画素領域３２には、赤色（Ｒ）の光を透過させる赤色画素領域３２ｒと、緑色（Ｇ）の光を透過させる緑色画素領域３２ｇと、青色（Ｂ）の光を透過させる青色画素領域３２ｂとを含んでいる。各画素領域３２は、表示部２１のサブ画素４１に対応している。具体的には、赤色画素領域３２ｒは、赤色のサブ画素４１ｒに対応し、緑色画素領域３２ｇは、緑色のサブ画素４１ｇに対応し、青色画素領域３２ｂは、青色のサブ画素４１ｂに対応する。尚、透過させる色を区別しないときには、単に、「画素領域３２」と称する。赤色画素領域３２ｒ、緑色画素領域３２ｇ及び青色画素領域３２ｂは、画素領域３２の短手方向において、この順で並んでいる。画素領域３２の長手方向については、同じ色の画素領域３２が並んでいる。つまり、赤色画素領域３２ｒの長手方向の隣りには、別の赤色画素領域３２ｒが並んでいる。同様に、緑色画素領域３２ｇの長手方向の隣りには、別の緑色画素領域３２ｇが並んでいる。青色画素領域３２ｂについても同様である。ブラックマトリクス３１は、画素領域３２の長手方向に延びる縦線と、画素領域３２の短手方向に延びる横線とを含み、格子状に形成されている。横線は、縦線に比べて、太く形成されている。ブラックマトリクス３１及びドット３３は、カーボンブラックを主成分とする材料で形成されている。ドット３３は、中実の円形に形成されている。ドット３３は、全ての画素領域３２ではなく、いくつかの画素領域３２に設けられている。カラーフィルタ３０においては、複数のドット３３が一かたまりとなってドットパターンを形成している。このドットパターンは、カラーフィルタ３０の位置に応じて異なっている。
【００３９】
以下に、ドットパターンについて詳しく説明する。
【００４０】
まず、カラーフィルタ３０上に第１基準線３４と第２基準線３５とを規定する。これら第１及び第２基準線３４，３５は、仮想的な線であり、実際に存在する線ではない。第１基準線３４は、画素領域３２の短手方向に延びる直線であり、ブラックマトリクス３１の横線上を延びている。第１基準線３４は、画素領域３２の長手方向に複数並設されており、ブラックマトリクス３１の横線を２つおきに設けられている。第２基準線３５は、画素領域３２の長手方向に延びる直線であり、緑色画素領域３２ｇと青色画素領域３２ｂとを仕切るブラックマトリクス３１の縦線上を延びている。第２基準線３５は、画素領域３２の短手方向に複数並設されている。ただし、第２基準線３５は、緑色画素領域３２ｇと青色画素領域３２ｂとを仕切る全てのブラックマトリクス３１の縦線上に設けられているわけではなく、緑色画素領域３２ｇと青色画素領域３２ｂとの組を２組おきに設けられている。これら第１基準線３４及び第２基準線３５により、カラーフィルタ３０上には格子が規定される。
【００４１】
各ドット３３は、第１基準線３４と第２基準線３５との交点の周辺に配置される。図７は、ドット３３の配置パターンを示す図である。ドット３３は、該交点から、第１及び第２基準線３４，３５に対して斜めの四方向の何れかにオフセットした位置に配置される。具体的には、ドット３３は、図７（Ａ）〜（Ｄ）の何れかの配置となる。図７（Ａ）の配置では、ドット３３は、第１基準線３４と第２基準線３５との交点の右上に位置する赤色画素領域３２ｒ内に配置される。この配置を数値化する際には「１」で表す。図７（Ｂ）の配置では、ドット３３は、第１基準線３４と第２基準線３５との交点に左上に位置する赤色画素領域３２ｒ内に配置される。この配置を数値化する際には「２」で表す。図７（Ｃ）の配置では、ドット３３は、第１基準線３４と第２基準線３５との交点の左下に位置する赤色画素領域３２ｒ内に配置される。この配置を数値化する際には「３」で表す。図７（Ｄ）の配置では、ドット３３は、第１基準線３４と第２基準線３５との交点の右下に位置する赤色画素領域３２ｒ内に配置される。この配置を数値化する際には「４」で表す。このように、何れの配置においても、ドット３３は、赤色画素領域３２ｒ内、即ち、赤色のサブ画素４１ｒ内に配置されている。
【００４２】
そして、６ドット×６ドットを１つの単位エリアとして、単位エリアに含まれる３６個のドット３３で１つのドットパターンを形成する。単位エリアに含まれる３６個のドット３３のそれぞれを前記「１」〜「４」の何れかの配置とすることによって、膨大な数のドットパターンを形成することができる。各単位エリアのドットパターンは、全て異なっている。
【００４３】
これらのドットパターンの１つ１つには、情報を付加されている。詳しくは、各ドットパターンは、単位エリアごとの位置座標を表している。つまり、カラーフィルタ３０を、６ドット×６ドットの単位エリアで分割すると、各ドットパターンはその単位エリアの位置座標を表している。このようなドットパターンのパターンニング（コーディング）や座標変換（デコーディング）の方法は、例えば、特開２００６−１４１０６７号公報に開示されているような公知の方法を用いることができる。
【００４４】
［５．動作］
続いて、このように構成された表示制御システム１００の動作について説明する。図８は、表示制御システム１００の処理の流れを示すフローチャートである。以下では、ユーザが、デジタルペン１０を用いて表示装置２０に文字を記入する場合について説明する。
【００４５】
まず、表示制御システム１００の電源がオンされると、ステップＳ１１において、デジタルペン１０のペン側マイコン１６ｂは、ペン先部１２に作用する圧力の監視を開始する。この圧力の検出は、圧力センサ１３が行う。圧力が検出されると（Ｙｅｓ）、ペン側マイコン１６ｂは、ユーザが表示装置２０の表示部２１に対して文字を入力していると判定し、ステップＳ１２へ進む。圧力が検出されていない間（Ｎｏ）は、ペン側マイコン１６ｂは、ステップＳ１１を繰り返す。
【００４６】
ステップＳ１２では、デジタルペン１０の読取部１５が、表示部２１に形成されたドットパターンを検出する。圧力センサ１３により圧力が検出されると、照射部１４は赤外光を出射する。尚、デジタルペン１０の電源がオンされると、照射部１４が赤外光の照射を開始するようにしてもよい。この赤外光は、少なくとも表示装置２０のカラーフィルタ３０に設けられたドット３３に吸収される一方、画素領域３２等において反射される。反射された赤外光は、対物レンズ１５ａを介して撮像素子１５ｂに受光される。対物レンズ１５ａは、表示部２１上においてペン先部１２が指示している位置からの反射光を受光するように配置されている。その結果、表示面２１上における指示位置のドットパターンが撮像素子１５ｂにより撮像される。このようにして、読取部１５は、ドットパターンを光学的に読み取る。読取部１５が取得した画像信号は、特定部１６ａに送信される。
【００４７】
ステップＳ１３では、特定部１６ａが、画像信号からドットパターンを取得し、該ドットパターンに基づいてペン先部１２の、表示部２１上の位置を特定する。詳しくは、特定部１６ａは、得られた画像信号に所定の画像処理を施すことにより、ドットパターンを取得する。例えば、ブラックマトリクス３１は、ドット３３と同様に、カーボンブラックで形成されているため、赤外光を吸収する。そのため、読取部１５からの画像には、ブラックマトリクス３１もドット３３同じ状態で含まれている。そこで、読取部１５からの画像信号に所定の画像処理を施すことによりドット３３をブラックマトリクス３１から判別し易くし、処理後の画像信号から複数のドット３３の配列を取得する。続いて、特定部１６ａは、取得されたドット３３の配列から６ドット×６ドットの単位エリアを割り出すと共に、該単位エリアのドットパターンから該単位エリアの位置座標（位置情報）を特定する。特定部１６ａは、ドットパターンのコーディング方法に対応した所定の演算により、ドットパターンを位置座標に変換する。特定された位置情報は、ペン側マイコン１６ｂに送信される。
【００４８】
続いて、ステップＳ１４では、ペン側マイコン１６ｂは、位置情報を送信部１７を介して表示装置２０へ送信する。
【００４９】
デジタルペン１０から送信された位置情報は、表示装置２０の受信部２２により受信される。受信された位置情報は、受信部２２から表示側マイコン２３に送信される。ステップＳ１５において、表示側マイコン２３は、位置情報を受信すると、位置情報に対応する位置の表示内容を変更するように表示パネル２４を制御する。この例では、文字の入力なので、表示部２１における、位置情報に対応する位置に点を表示する。
【００５０】
続いて、ステップＳ１６において、ペン側マイコン１６ｂは、ユーザによる入力が継続しているか否かを判定する。圧力センサ１３が圧力を検出している場合には、ペン側マイコン１６ｂは、ユーザによる入力が継続していると判定して、ステップＳ１１へ戻る。そして、前記のフローを繰り返すことによって、デジタルペン１０のペン先部１２の移動に追従して、表示部２１上におけるペン先部１２の位置に点が連続的に表示される。最終的には、デジタルペン１０のペン先部１２の軌跡に応じた文字が表示装置２０の表示部２１に表示される。
【００５１】
一方、ステップＳ１５において、圧力センサ１３が圧力を検出していない場合には、ペン側マイコン１６ｂは、ユーザによる入力が継続していないと判定して、処理を終了する。
【００５２】
こうして、表示装置２０が表示部２１上におけるデジタルペン１０の先端の軌跡を表示部２１に表示することによって、デジタルペン１０を用いた表示部２１への手書き入力を行うことができる。
【００５３】
尚、以上では、文字を記入する場合について説明したが、表示制御システム１００の使い方は、これに限られるものでない。文字に限らず、数字、記号及び図形等を記入できることはもちろんのことであるが、デジタルペン１０を消しゴムのように用いて、表示部２１に表示された文字、図形等を消すこともできる。つまり、表示装置２０は、デジタルペン１０の移動に追従して、表示部２１上におけるデジタルペン１０の位置の表示を連続的に消去することによって、表示部２１上におけるデジタルペン１０の先端の軌跡と一致する部分の表示を消去することができる。さらには、デジタルペン１０をマウスのように用いて、表示部２１に表示されるカーソルを移動させたり、表示部２１に表示されるアイコンを選択したりすることもできる。すなわち、デジタルペン１０を用いて、グラフィッカルユーザインターフェイスを操作することができる。このように、表示制御システム１００においては、デジタルペン１０が指示する表示部２１上の位置が表示装置２０に入力され、表示装置２０が該入力に応じて様々な表示制御を行う。
【００５４】
［６．実施形態の効果］
したがって、本実施形態によれば、表示制御システム１００は、複数の画素４０が設けられて画像を表示する表示部２１を有する表示装置２０と、前記表示部２１上の位置を指示するデジタルペン１０とを備え、該デジタルペン１０に指示された位置に応じた表示制御を行う。そして、前記表示部２１には、前記表示部２１上の位置を表すドットパターンが設けられ、前記デジタルペン１０は、前記表示部２１上において指示している位置の前記ドットパターンを光学的に読み取るように構成され、前記画素４０は、複数の異なる色のサブ画素４１を有し、前記ドットパターンは、複数のドット３３の集合で構成され、半数以上（詳細には、実質的に全て）の前記ドット３３は、赤色のサブ画素４１ｒに設けられている。
【００５５】
換言すると、表示装置２０は、複数の画素４０が設けられて画像を表示する表示部４１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、複数のドット３３の集合で構成され、半数以上（詳細には、実質的に全て）の前記ドット３３は、赤色のサブ画素４１ｒに設けられている。
【００５６】
さらに換言すると、表示パネル２４は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、複数のドット３３の集合で構成され、半数以上（詳細には、実質的に全て）の前記ドット３３は、赤色のサブ画素４１ｒに設けられている。
【００５７】
前記の構成によれば、緑色及び青色のサブ画素４１ｇ，４１ｂに設けられたドット３３は少ないので、緑色及び青色の色ムラを抑制することができる。すなわち、ドット３３は、可視光を完全に透過させるわけではない。そのため、同じ色のサブ画素４１であっても、ドット３３が設けられたサブ画素４１とドット３３が設けられていないサブ画素４１とでは色ムラが生じてしまう。それに対し、前記の構成によれば、少なくとも半数のドット３３が赤色のサブ画素４１ｒに設けられているので、緑色及び青色の色ムラを抑制することができる。
【００５８】
特に、実質的に全てのドット３３が赤色のサブ画素４１ｒに設けられているので、緑色及び青色のサブ画素４１ｇ，４１ｂに設けられたドット３３を実質的に零にすることができ、緑色及び青色の色ムラを抑制することができる。ここで、「実質的に全て」とは、少なくとも９５％以上を意味する（以下、同様）。
【００５９】
また、半数以上のドット３３を設ける特定の一色のサブ画素４１を緑色のサブ画素４１ｇ以外のサブ画素４１にすることによって、表示部２１の全体的な色ムラを抑制することができる。すなわち、半数以上のドット３３を特定の一色のサブ画素４１に設けることによって、該特定の一色においては色ムラが大きくなり得る。仮に該特定の一色が緑色だとすると、緑色の視感度が高いため、色ムラが人間に認識され易くなってしまう。それに対し、該特定の一色を緑色以外の色にすることによって、該特定の一色において色ムラが生じたとしても、色ムラが目立たない。その結果、表示部２１全体としての色ムラを抑制することができる。
【００６０】
さらに、半数以上のドット３３を設ける特定の一色のサブ画素４１を赤色のサブ画素４１ｒにすることによって、表示部２１の全体的な色ムラをより一層抑制することができる。すなわち、赤色は前記三色の中で最も視感度が低いため、赤色に色ムラが生じたとしても、人間の目にとっては色ムラが目立たない。
【００６１】
また、本実施形態によれば、表示制御システム１００は、複数の画素４０が設けられて画像を表示する表示部４１を有する表示装置２０と、前記表示部２１上の位置を指示するデジタルペン１０とを備え、該デジタルペン１０に指示された位置に応じた表示制御を行う。前記表示部２１には、前記表示部２１上の位置を表すドットパターンが設けられ、前記デジタルペン１０は、前記表示部２１上において指示している位置の前記ドットパターンを光学的に読み取るように構成され、前記画素４０は、複数の異なる色のサブ画素４１を有し、前記ドットパターンは、前記サブ画素４１に設けられた複数のドット３３の集合で構成され、各色の前記サブ画素４１のうち、視感度が最も高い色、即ち緑色のサブ画素４１ｇに設けられた前記ドット３３の数が最も少ない。詳細には、緑色のサブ画素４１ｇに設けられたドット３３は、実質的に零である。
【００６２】
換言すると、表示装置２０は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、前記サブ画素４１に設けられた複数のドット３３の集合で構成され、各色の前記サブ画素４１のうち、視感度が最も高い色、即ち緑色のサブ画素４１ｇに設けられた前記ドット３３の数が最も少ない。詳細には、緑色のサブ画素４１ｇに設けられたドット３３は、実質的に零である。
【００６３】
さらに換言すると、表示パネル２４は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、前記サブ画素４１に設けられた複数のドット３３の集合で構成され、各色の前記サブ画素４１のうち、視感度が最も高い色、即ち緑色のサブ画素４１ｇに設けられた前記ドット３３の数が最も少ない。詳細には、緑色のサブ画素４１ｇに設けられたドット３３は、実質的に零である。
【００６４】
前記の構成によれば、表示部２１全体の輝度ムラを目立たなくさせることができる。すなわち、ドット３３は、可視光を完全に透過させるわけではないので、ドット３３が設けられたサブ画素４１とドット３３が設けられていないサブ画素４１とでは、輝度ムラが生じる。ここで、緑色は前記三色の中で最も視感度が高いため、緑色において輝度ムラが生じると、目立ってしまう。それに対し、前記の構成によれば、緑色のサブ画素４１ｇに設けられたドット３３が最も少ないので、緑色の輝度ムラを抑制することができる。その結果、表示部２１全体の輝度ムラを目立たなくさせることができる。
【００６５】
さらには、前記ドット３３は、視感度が最も高い色である緑色のサブ画素４１ｇに設けられておらず、緑色以外の色のサブ画素４１、具体的には赤色のサブ画素４１ｒに設けられている。
【００６６】
前記の構成によれば、前記三色の中が最も視感度が高い緑色のサブ画素４１ｇにはドット３３が設けられていないので、緑色の輝度ムラをより一層抑制することができる。その結果、表示部２１全体の輝度ムラをより一層目立たなくさせることができる。
【００６７】
また、本実施形態によれば、表示制御システム１００は、複数の画素４０が設けられて画像を表示する表示部４１を有する表示装置２０と、前記表示部２１上の位置を指示するデジタルペン１０とを備え、該デジタルペン１０に指示された位置に応じた表示制御を行う。前記表示部２１には、前記表示部２１上の位置を表すドットパターンが設けられ、前記デジタルペン１０は、前記表示部２１上において指示している位置の前記ドットパターンを光学的に読み取るように構成され、前記画素４０は、複数の異なる色のサブ画素４１を有し、前記ドットパターンは、前記サブ画素４１に設けられた複数のドット３３の集合で構成され、各色の前記サブ画素４１のうち、視感度が最も低い色、即ち赤色のサブ画素４１ｒに設けられた前記ドット３３の数が最も多い。詳細には、実質的に全てのドット３３が赤色のサブ画素４１ｒに設けられている。
【００６８】
換言すると、表示装置２０は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、前記サブ画素４１に設けられた複数のドット３３の集合で構成され、各色の前記サブ画素４１のうち、視感度が最も低い色、即ち赤色のサブ画素４１ｒに設けられた前記ドット３３の数が最も多い。詳細には、実質的に全てのドット３３が赤色のサブ画素４１ｒに設けられている。
【００６９】
さらに換言すると、表示パネル２４は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、前記サブ画素４１に設けられた複数のドット３３の集合で構成され、各色の前記サブ画素４１のうち、視感度が最も低い色、即ち赤色のサブ画素４１ｒに設けられた前記ドット３３の数が最も多い。詳細には、実質的に全てのドット３３が赤色のサブ画素４１ｒに設けられている。
【００７０】
前記の構成によれば、表示部２１全体の輝度ムラを目立たなくさせることができる。すなわち、赤色のサブ画素４１ｒに設けられたドット３３が最も多い、詳細には実質的に全てのドット３３が赤色のサブ画素４１ｒに設けられているので、緑色及び青色の輝度ムラを抑制することができる。その一方で、赤色においては輝度ムラを生じさせてしまうものの、赤色は前記三色の中で最も視感度が低いため、輝度ムラがあまり目立たない。その結果、表示部２１全体の輝度ムラを抑制することができる。
【００７１】
また、色ムラ及び輝度ムラを抑制するためには、視感度の観点からは、視感度の高いサブ画素４１ほど、ドット３３が少ないことが好ましい。例えば、前記実施形態によれば、赤色のサブ画素４１ｒ、青色のサブ画素４１ｂ、緑色のサブ画素４１ｇの順でドット３３の比率が小さくなることが好ましい。
【００７２】
また、前記実施形態によれば、表示部２１のドットパターンを読み取ることでデジタルペン１０の位置を検出することによって、高精細な手書き入力を行うことができる。つまり、表示装置の表示面に手書き入力を行う構成としては、表示装置に静電容量センサ等のセンサを内蔵させ、表示面におけるスタイラスの接触点をセンサにより検出することにより、スタイラスの位置を検出し、スタイラスの軌跡に応じた入力を行う構成が考えられる。このような構成では、手書き入力の精細さは、スタイラスの位置検出の精度、即ち、センサの位置検出分解能に依存する。しかしながら、センサは或る程度の大きさを有するため、あまり多くのセンサを表示装置に設けることは難しい。また、タッチセンサの個数が増えると、コストも増大してしまう。それに対し、本実施形態によれば、手書き入力の精細さは、デジタルペン１０によるドットパターンの検出精度に依存する。この検出精度は、ドットパターンを高密度化することにより容易に向上させることができる。ドットパターンをどこまで高密度化できるかは、ドットパターンを高密度に作製する能力だけでなく、デジタルペン１０の解像度やドットパターンの判別能力に依存する。しかし、ドットパターンを高密度に作製することはタッチセンサの検出分解能を向上させることに比べて容易である。また、デジタルペン１０の解像度をそれほど上げなくても、タッチセンサの検出分解能に比べて高密度のドットパターンを十分に読み取ることができる。よって、表示部２１のドットパターンを読み取ることでデジタルペン１０の位置を検出することによって、表示装置側のセンサでペンの位置を検出する構成に比べて、高精細な手書き入力を行うことができる。
【００７３】
［７．変形例］
以下に、実施形態の変形例について説明する。
【００７４】
図９は、変形例に係るカラーフィルタ２３０の平面図であり、図１０は、ドット３３の配置パターンを示す図である。前記実施形態では、ドット３３は、第１基準線３４と第２基準線３５との交点から、第１及び第２基準線３４，３５に対して斜めの方向にオフセットした位置に配置されている。しかし、図９に示すように、ドット３３は、第１基準線３４と第２基準線３５との交点から、第１又は第２基準線３４，３５に沿った方向にオフセットした位置に配置されてもよい。尚、ドット３３は、詳細には、前記実施形態と同様に、カラーフィルタ３０の画素領域３２に設けられている。
【００７５】
詳しくは、この変形例においては、各第１基準線３４は、画素領域３２の長手方向中央に位置している。そして、第１基準線３４は、画素領域３２の長手方向に画素領域３２を２つおきに、複数並設されている。各第２基準線３５は、赤色画素領域３２ｒの短手方向中央に位置している。そして、第２基準線３５は、画素領域３２の短手方向に赤色画素領域３２ｒを２つおきに、複数並設されている。その結果、第１基準線３４と第２基準線３５との交点は、赤色画素領域３２ｒ上に位置している。
【００７６】
ドット３３は、該交点から、第１又は第２基準線３４，３５に沿った、互いに直交する四方向の何れかにオフセットした位置に配置される。具体的には、ドット３３は、図１０（Ａ）〜（Ｄ）の何れかの配置となる。図１０（Ａ）の配置では、ドット３３は、第１基準線３４と第２基準線３５との交点から、第１基準線３４上を右側にオフセットした位置に配置される。このとき、ドット３３は、交点が位置する赤色画素領域３２ｒの右側に位置する赤色画素領域３２ｒ上に配置される。図１０（Ｂ）の配置では、ドット３３は、第１基準線３４と第２基準線３５との交点から、第２基準線３５上を上側にオフセットした位置に配置される。このとき、ドット３３は、交点が位置する赤色画素領域３２ｒの上側に位置する赤色画素領域３２ｒ上に配置される。図１０（Ｃ）の配置では、ドット３３は、第１基準線３４と第２基準線３５との交点から、第１基準線３４上を左側にオフセットした位置に配置される。このとき、ドット３３は、交点が位置する赤色画素領域３２ｒの左側に位置する赤色画素領域３２ｒ上に配置される。図１０（Ｄ）の配置では、ドット３３は、第１基準線３４と第２基準線３５との交点から、第２基準線３５上を下側にオフセットした位置に配置される。このとき、ドット３３は、交点が位置する赤色画素領域３２ｒの下側に位置する赤色画素領域３２ｒ上に配置される。この変形例に係る配置であっても、全てのドット３３は、赤色画素領域３２ｒ内、即ち、赤色のサブ画素４１ｒ内に配置されている。
【００７７】
図１１は、別の変形例に係るカラーフィルタ３３０の拡大図を示す。前記実施形態では、ドット３３が全ての赤色画素領域３２ｒではなく、一部の赤色画素領域３２ｒだけに設けられている。しかし、図１１に示すように、実質的に全てのドット３３が赤色画素領域３２ｒに設けられ且つ、実質的に全ての赤色画素領域３２ｒにドット３３が設けられていてもよい。尚、ドット３３は、詳細には、前記実施形態と同様に、カラーフィルタ３０の画素領域３２に設けられている。
【００７８】
この場合、各ドット３３は、赤色画素領域３２ｒ中のどの部分（例えば、右上の隅、左上の隅、左下の隅、右下の隅）に位置するかによって前記「１」〜「４」のような配置パターンを表すこともできる。その結果、前記実施形態と同様に、６ドット×６ドットのドットパターンを形成することができる。
【００７９】
尚、ドット３３の配置パターンは、これに限られるものではない。ドットパターンのコーディングは、任意の手法を採用することができるので、採用するコーディング手法に応じてドット３３の配置パターンを変更すればよい。例えば、コーディング手法によっては、ドット３３を、赤色画素領域３２ｒにおいて、長手方向の上部、中央、下部の何れかの位置に配置してもよい。
【００８０】
この変形例によれば、前記ドット３３は、特定の一色、具体的には赤色のサブ画素４１ｒの全てに設けられている。この構成によれば、赤色については、ドット３３が設けられたサブ画素４１ｒだけであり、ドット３３が設けられていないサブ画素４１ｒは実質的に存在しない。そのため、赤色の色ムラを抑制することができる。
【００８１】
また、前記実施形態及び前記変形例では、実質的に全てのドット３３が赤色画素領域３２ｒ内、即ち、赤色のサブ画素４１ｒ内に設けられている。しかし、赤色以外の特定の一色のサブ画素４１に実質的に全てのドット３３が設けられてもよい。例えば、実質的に全てのドット３３が青色のサブ画素４１ｂに設けられてもよい。また、実質的に全てのドット３３が緑色のサブ画素４１ｇに設けられてもよい。ただし、表示部２１に表示する画像に影響を与えないという観点からは、赤、青、緑の中では緑の視感度が最も高いので、緑以外、即ち、赤色又は青色のサブ画素４１ｒ，４１ｂに実質的に全てのドット３３が設けられていることが好ましい。さらには、赤、青、緑の中では赤の視感度が最も低いので、赤色のサブ画素４１ｒに実質的に全てのドット３３が設けられていることがより好ましい。
【００８２】
《発明の実施形態２》
続いて、実施形態２に係る表示制御システムについて説明する。実施形態２に係る表示制御システムは、ドット３３の配置が実施形態１の表示制御システム１００とは異なる。そこで、実施形態１と同様の構成については、同様の符号を付して説明を省略し、異なる構成を中心に説明する。
【００８３】
図１２は、実施形態２に係るカラーフィルタ４３０の平面図であり、図１３は、ドット３３の配置パターンを示す図である。実施形態２に係る表示制御システムにおいても、カラーフィルタ４３０にドット３３を形成することによって、表示部２１のサブ画素４１にドット３３が設けられている。
【００８４】
カラーフィルタ４３０は、格子状のブラックマトリクス３１と、複数の画素領域３２と、複数のドット３３とを有している。
【００８５】
第１及び第２基準線３４，３５は、図９，１０に示す変形例と同様に、画素領域３２上に規定される。詳しくは、各第１基準線３４は、画素領域３２の長手方向中央に位置している。そして、第１基準線３４は、画素領域３２の長手方向に画素領域３２を２つおきに、複数並設されている。各第２基準線３５は、赤色画素領域３２ｒの短手方向中央に位置している。そして、第２基準線３５は、画素領域３２の短手方向に赤色画素領域３２ｒを２つおきに、複数並設されている。その結果、第１基準線３４と第２基準線３５との交点は、赤色画素領域３２ｒ上に位置している。
【００８６】
ドット３３は、該交点から、第１又は第２基準線３４，３５に沿った、互いに直交する四方向の何れかにオフセットした位置に配置される。具体的には、ドット３３は、図１３（Ａ）〜（Ｄ）の何れかの配置となる。図１３（Ａ）の配置では、ドット３３は、第１基準線３４と第２基準線３５との交点から、第１基準線３４上を右側にオフセットした位置に配置される。このとき、ドット３３は、交点が位置する赤色画素領域３２ｒの右側に隣接する緑色画素領域３２ｇ内に配置される。図１３（Ｂ）の配置では、ドット３３は、第１基準線３４と第２基準線３５との交点から、第２基準線３５上を上側にオフセットした位置に配置される。このとき、ドット３３は、交点が位置する赤色画素領域３２ｒ内の上部に配置される。図１３（Ｃ）の配置では、ドット３３は、第１基準線３４と第２基準線３５との交点から、第１基準線３４上を左側にオフセットした位置に配置される。このとき、ドット３３は、交点が位置する赤色画素領域３２ｒの左側に隣接する青色画素領域３２ｂ内に配置される。図１３（Ｄ）の配置では、ドット３３は、第１基準線３４と第２基準線３５との交点から、第２基準線３５上を下側にオフセットした位置に配置される。このとき、ドット３３は、交点が位置する赤色画素領域３２ｒ内の下部に配置される。つまり、４つの配置パターンのうち２つの配置パターンは、赤色画素領域３２ｒ内にドット３３が配置され、１つの配置パターンは、青色画素領域３２ｂ内にドット３３が配置され、１つの配置パターンは、緑色画素領域３２ｇ内にドット３３が配置される。
【００８７】
これら４つの配置パターンのドット３３を組み合わせて多数のドットパターンを表示部２１に形成する構成において、各配置パターンの使用頻度が概ね等しいとすると、赤色画素領域３２ｒ内に配置されるドット３３と青色画素領域３２ｂ内に配置されるドット３３と緑色画素領域３２ｇ内に配置されるドット３３との比率は、概ね２：１：１となる。
【００８８】
つまり、赤色、緑色及び青色のサブ画素４１のうち、視感度が最も高い色である緑色のサブ画素４１ｇに設けられたドット３３の数が最少である。尚、青色のサブ画素４１ｂに設けられたドット３３の数も最小である。この構成によれば、輝度ムラを目立たなくさせることができる。すなわち、ドット３３は、可視光を完全に透過させるのではなく、多少は吸収し得る。そのため、ドット３３が設けられたサブ画素４１は、ドット３３が設けられていないサブ画素４１に比べて輝度が低減してしまう。その結果、特定の一色に関し、ドット３３が設けられたサブ画素４１とドット３３が設けられていないサブ画素４１とが混在していると、輝度ムラが生じてしまう。この輝度ムラが視感度が高い色で生じると、人間の目に容易に認識されてしまう。前記の構成によれば、赤色、緑色及び青色のうち視感度が最も高い緑色のサブ画素４１ｇに設けられたドット３３が最も少ないので、緑色における輝度ムラを可及的に抑制することができる。その結果、輝度ムラを目立たなくさせることができる。
【００８９】
別の見方をすれば、緑色及び青色のサブ画素４１のうち、視感度が最も低い色である赤色のサブ画素４１ｒに設けられたドット３３の数が最大である。この構成によれば、輝度ムラを目立たなくさせることができる。すなわち、赤色は、赤色、緑色及び青色のうちで最も視感度が低いので、赤色において輝度ムラが生じたとしても、人間の目には認識され難い。前記の構成によれば、赤色のサブ画素４１ｒに設けられたドット３３を増やすことによって、赤色よりも視感度が高い青色や緑色における輝度ムラを可及的に抑制することができる。その結果、輝度ムラを目立たなくさせることができる。
【００９０】
また、別の見方をすれば、ドット３３の半数以上は、特定の一色、即ち、赤色のサブ画素４１ｒに設けられている。これにより、赤色の色ムラを抑制することができる。すなわち、緑色及び青色のサブ画素４１ｇ，４１ｂのそれぞれに設けられたドット３３の個数を可及的に低減することができる。その結果、緑色については、ドット３３が設けられていないサブ画素４１ｇに比べて、ドット３３が設けられたサブ画素４１ｇの数が少なくなるので、緑色の色ムラを低減することができる。同様に、青色についても、ドット３３が設けられていないサブ画素４１ｂに比べて、ドット３３が設けられたサブ画素４１ｂの数が少なくなるので、青色の色ムラを低減することができる。
【００９１】
尚、輝度ムラを低減する観点からは、ドット３３を、視感度が最も高い色である緑色のサブ画素４１ｇには設けず、緑色以外の赤色及び／又は青色のサブ画素４１ｒ，４１ｂに設けることが好ましい。図１４は、ドット３３が緑色のサブ画素４１ｇには設けられておらず、緑色以外のサブ画素４１に設けられる構成におけるドットの配置パターンを示す。この配置パターンにおける、第１及び第２基準線３４，３５は、図１２の変形例と同様に規定される。そして、４つの配置パターンのうち、図１４（Ｂ）〜（Ｄ）に示す「２」〜「４」の配置パターンは、図１３の（Ｂ）〜（Ｄ）に示す配置パターンと同じであり、ドット３３が緑色以外のサブ画素４１に設けられている。一方、図１４（Ａ）に示す「１」の配置パターンは、ドット３３は、第１基準線３４と第２基準線３５との交点から右側にオフセットした位置であって、交点が位置する赤色画素領域３２ｒの右側に位置する緑色画素領域３２ｇのさらに右側に位置する青色画素領域３２ｂ内に配置される。つまり、図１４に示す配置パターンでは、４つの配置パターンのうち２つの配置パターンは、赤色画素領域３２ｒ内にドット３３が配置され、２つの配置パターンは、青色画素領域３２ｂ内にドット３３が配置される。この構成によれば、前記三色のうち視感度が最も高い緑色のサブ画素４１ｇにはドット３３が設けられていないので、輝度ムラを目立たなくさせることができる。
【００９２】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９３】
前記実施形態について、以下のような構成としてもよい。
【００９４】
前記実施形態では、表示装置として液晶ディスプレイを例に挙げて説明したが、これには限られるものではない。表示装置２０は、プラズマディスプレイ、有機ＥＬディスプレイ、無機ＥＬディスプレイなどの、文字や映像を表示可能な装置であればよい。また、表示装置２０は、電子ペーパーのように表示面が自由に変形する装置であってもよい。
【００９５】
また、表示装置２０は、ノートＰＣや携帯型タブレットのディスプレイであり得る。さらには、表示装置２０は、テレビや電子黒板等であり得る。
【００９６】
デジタルペン１０又は表示装置２０は、デジタルペン１０からの位置情報の入力を受けて行う処理を切り替える切替部を有していてもよい。具体的には、デジタルペン１０にスイッチを設け、文字等の入力、文字等の消去、カーソルの移動、及びアイコンの選択等を該スイッチにより切り替えるように構成してもよい。あるいは、表示装置２０に、文字等の入力、文字等の消去、カーソルの移動、及びアイコンの選択等を切り替えるためのアイコンを表示させ、それらをデジタルペン１０を用いて選択するように構成してもよい。さらに、デジタルペン１０や表示装置２０にマウスの右クリックや左クリックに相当するスイッチを設けてもよい。これにより、操作性をさらに向上させることができる。
【００９７】
また、前記デジタルペン１０及び表示装置２０の構成は、一例であって、これらに限られるものではない。図１５は、その他の実施形態に係るデジタルペン１０の概略断面図である。例えば、図１５に示すデジタルペン１０においては、ペン先部１２は、赤外光を透過可能な材料で形成されている。そして、対物レンズ１５ａは、ペン先部１２の先端に内蔵されている。読取部１５は、レンズ１５ｃをさらに有し、対物レンズ１５ａとレンズ１５ｃとで光学系を構成している。複数（例えば、４個）の照射部１４は、本体部１１の先端において、ペン先部１２を囲むように配置されている。照射部１４の個数は、適宜設定することができる。また、照射部１４は、リング状に形成されていてもよい。この構成によれば、デジタルペン１０と表示部２１との接触点とドットパターンを読み取る部分とが一致するため、ペン先部１２の先端の位置をより正確に検出することができる。その結果、ユーザは、実際にペンを使って記入しているのにより近い感覚で、デジタルペン１０を用いた手書き入力を実現することができる。
【００９８】
前記デジタルペン１０と表示装置２０との間の信号の送受信は、無線通信により行われているが、これに限られるものではない。デジタルペン１０と表示装置２０とが有線で接続されており、該有線を介して信号の送受信を行ってもよい。
【００９９】
また、前記実施形態１では、デジタルペン１０が位置情報の特定まで行って、その位置情報を表示装置２０へ送信しているが、これに限られるものではない。図１６は、その他の実施形態に係る表示制御システム２００のブロック図である。図１６に示すデジタルペン２１０は、圧力センサ１３と、照射部１４と、読取部１５と、制御部２１６と、送信部１７とを有している。圧力センサ１３、照射部１４、読取部１５及び送信部１７の構成は、前記実施形態と同様である。制御部２１６は、ペン側マイコン１６ｂを有し、実施形態１の特定部１６ａを有していない。つまり、制御部２１６は、撮像素子１５ｂから入力された画像信号を、該画像信号からデジタルペン２１０の位置情報を特定することなく、送信部１７へ出力する。こうして、デジタルペン２１０からは、撮像素子１５ｂで撮像した画像信号が送信される。図１６に示す表示装置２２０は、外部からの信号を受信する受信部２２と、表示装置２２０全体を制御する表示側マイコン２３と、画像を表示する表示パネル２４と、デジタルペン１０の位置を特定する特定部２４０とを有している。受信部２２、表示側マイコン２３及び表示パネル２４の構成は、前記実施形態と同様である。表示パネル２４の表示部２１には、ドットパターンが形成されている。受信部２２は、デジタルペン２１０から送信された信号を受信して、該信号を特定部２４０に送信する。特定部２４０は、前記実施形態におけるデジタルペン１０の特定部１６ａと同様の機能を有する。この構成によれば、図１７に示すように、デジタルペン２１０がドットパターンの画像を撮像素子１５ｂで取得し（ステップＳ２２）し、その画像信号がデジタルペン２１０から表示装置２２０へ送信される（ステップＳ２３）。そして、表示装置２２０の特定部２４０が該画像信号からデジタルペン２１０の位置を特定する（ステップＳ２４）。それ以外の処理は、前記実施形態と同様である。
【０１００】
尚、デジタルペン２１０において、ドットパターンの画像を取得後、画像処理まで行ってデータ量を低減した後に、画像処理後の信号を表示装置２２０へ送信してもよい。つまり、デジタルペン１０が指示する表示部２１上の位置に関する情報をデジタルペン１０，２１０が取得し、該位置に関する情報がデジタルペン１０，２１０から表示装置２０，２２０へ送信され、表示装置２０，２２０が該位置に関する情報に応じて様々な表示制御を行う限りにおいては、該位置に関する情報はどのようなものであってもよい。
【０１０１】
また、表示部２１上におけるデジタルペンの位置を特定する特定部は、デジタルペン１０および表示装置２０とは別個の制御装置として、設けてもかまわない。例えば、ディスプレイ装置（表示装置の例）とＰＣ本体（制御装置の例）とを備えたデスクトップＰＣにデジタルペンを加えた表示制御システムにおいては、ディスプレイ装置の表示部にドットパターンが設けられ、デジタルペンが該ドットパターンを光学的に読み取ってＰＣ本体へ送信し、ＰＣ本体がドットパターンからデジタルペンの位置を特定し、該特定した位置に応じた処理を表示装置に命令するようにしてもよい。
【０１０２】
また、前記実施形態では、圧力センサ１３を、圧力が作用しているか否かを判定することだけに用いているが、これに限られるものではない。例えば、圧力センサ１３の検出結果に基づいて圧力の大きさを検出するように構成してもよい。これにより、圧力の連続的な変化を読み取ることができる。その結果、圧力の大きさに基づいて、表示される線の太さや濃さを変化させることができる。
【０１０３】
尚、前記実施形態では、圧力センサ１３を用いて、デジタルペン１０による入力の有無を検出しているが、これに限られるものではない。デジタルペン１０に入力のオン・オフを切り替えるスイッチを設け、スイッチがオンされたときに入力が有ると判定するように構成してもよい。この場合、デジタルペン１０が表示部２１の表面に接触していなくても、入力を行うことができる。または、表示装置２０が表示部２１の表面を所定の振動数で振動させ、デジタルペン１０が表示部２１の表面に接触することによる振動数の変化を表示装置２０が検出することによって、入力の有無を検出するように構成してもよい。
【０１０４】
前記実施形態では、画素領域３２は、長方形状であるが、これに限られるものではない。画素領域３２は、三角形や平行四辺形などの形状でもよく、これらを組み合わせた形状であってもよい。画素領域３２の形状は、表示装置が文字や映像を出力できるものであればよい。また、ブラックマトリクス３１も、画素領域３２の形状に合わせて適宜変更し得る。
【０１０５】
また、前記ドット３３を配置するための第１及び第２基準線３４，３５は、前記実施形態に限られるものではない。例えば、第１基準線３４はブラックマトリクス３１上に規定してもよいし、画素領域３２上に規定してもよい。さらには、第１基準線３４を何色の画素領域３２上に規定するかは任意に選択することができる。第２基準線３５についても同様である。
【０１０６】
前記実施形態では、６ドット×６ドットの単位エリアでドットパターンを形成しているが、これに限られるものではない。単位エリアを構成するドットの個数は、デジタルペン１０や表示装置２０の設計に応じて適宜設定することができる。また、ドットパターンの構成は、所定エリアに含まれるドットそれぞれの配置の組合せに限られるものではない。ドットパターンが特定の位置情報を表すことができる限り、コーディングの手法は前記実施形態に限られるものではない。
【０１０７】
前記実施形態では、位置情報パターンがドットで構成されているが、これに限られるものではない。ドットの代わりに、三角形、四角形等の図形やアルファベット等の文字で表されるマークによって位置情報パターンが構成されていてもよい。例えば、マークは、画素領域３２の全面を塗りつぶして形成されていてもよい。
【０１０８】
また、ドット３３は、カラーフィルタ３０に設けられているが、これに限られるものではない。ドット３３は、サブ画素４１に対応する位置であれば、ガラス基板２５や偏光フィルタ２６に設けられていてもよい。さらには、表示パネル２４は、ドット３３が形成された、カラーフィルタ３０、ガラス基板２５及び偏光フィルタ２６とは別のシートを備える構成であってもよい。あるいは、ドット３３を、表示パネル２４の画素４０で表現することもできる。すなわち、前記「１」〜「４」に対応する位置の画素４０又はサブ画素４１の表示を制御することによって、表示部２１にドット３３を設ける構成を実現してもよい。
【０１０９】
特定部１６ａは、演算により、ドットパターンを位置座標に変換しているが、これに限られるものではない。例えば、特定部１６ａは、全てのドットパターンと、そのそれぞれに紐付けされた位置座標を記憶しておき、取得されたドットパターンを、記憶しておいたドットパターンと位置座標との関係に照らし合わせて、位置座標を特定するようにしてもよい。
【産業上の利用可能性】
【０１１０】
以上説明したように、ここに開示された技術は、表示パネル、表示装置及び表示制御システムについて有用である。
【符号の説明】
【０１１１】
１００，２００  表示制御システム
１０，２１０    光学式デジタルペン（指示装置）
１１            本体部
１２            ペン先部
１３            圧力センサ
１４            照射部
１５            読取部
１５ａ          対物レンズ
１５ｂ          撮像素子
１６            制御部
１６ａ          特定部
１６ｂ          ペン側マイコン
１７            送信部
１９            電源
２０，２２０    表示装置
２１            表示部
２２            受信部
２３            表示側マイコン
２４            表示パネル
３０            カラーフィルタ
３１            ブラックマトリクス
３２            セル
３３            ドット（マーク）
３４            第１基準線
３５            第２基準線
４０            画素
４１            サブ画素
【図１】
2013161246.tif 000003
【図２】
2013161246.tif 000004
【図３】
2013161246.tif 000005
【図４】
2013161246.tif 000006
【図５】
2013161246.tif 000007
【図６】
2013161246.tif 000008
【図７】
2013161246.tif 000009
【図８】
2013161246.tif 000010
【図９】
2013161246.tif 000011
【図１０】
2013161246.tif 000012
【図１１】
2013161246.tif 000013
【図１２】
2013161246.tif 000014
【図１３】
2013161246.tif 000015
【図１４】
2013161246.tif 000016
【図１５】
2013161246.tif 000017
【図１６】
2013161246.tif 000018
【図１７】
2013161246.tif 000019
【手続補正書】
【提出日】平成26年1月30日(2014.1.30)
【手続補正１】
【補正対象書類名】明細書
【補正対象項目名】全文
【補正方法】変更
【補正の内容】
【発明の詳細な説明】
【技術分野】
【０００１】
ここに開示された技術は、表示装置の表示部に指示装置を用いて指示入力が可能な表示制御システム、その表示装置に関するものである。
【背景技術】
【０００２】
従来より、ペンを用いて紙の上に文字等を記入する際に、紙に記入した情報を電子化し、その電子化された情報をサーバや端末に送信する技術が知られている。
【先行技術文献】
【特許文献】
【０００３】
【特許文献１】特開２００７−２２６５７７号公報
【発明の概要】
【発明が解決しようとする課題】
【０００４】
ところで、近年、スタイラスのような筆記具を用いて表示装置の表示面に文字等を記入することによって、該表示面に筆記具の軌跡をそのまま表示させるという手書き入力可能なシステムが開発されている。しかし、そのようなシステムは、未だ発展途上である。特に、高精細な手書き入力の点においては、まだまだ開発の余地がある。
【０００５】
このような表示制御システムの１つとして、画像を表示する表示部を有する表示装置と、前記表示部上の位置を指示する指示装置とを備え、該指示装置に指示された位置に応じた表示制御を行う表示制御システムであって、前記表示部に、該表示部上の位置を表す位置情報パターンを設け、前記指示装置が、前記表示部上において指示している位置の位置情報パターンを読み取ることによって、表示装置が軌跡表示等を行う表示制御システムが考えられる。
【０００６】
このような構成においては、次のような問題が生じることが予想される。すなわち、表示部は、本来、画像を表示するものであるので、その表示部に位置情報パターンが設けられると、表示部の表示画像にムラが生じる虞がある。
【０００７】
ここに開示された技術は、かかる点に鑑みてなされたものであり、その目的とするところは、表示部におけるムラを抑制することにある。
【課題を解決するための手段】
【０００８】
ここに開示された技術は、複数の画素が設けられて画像を表示する表示部を有する表示装置と、前記表示部上の位置を指示する指示装置とを備え、該指示装置に指示された位置に応じた表示制御を行う表示制御システムが対象である。そして、前記表示部には、該表示部上の位置を表す位置情報パターンが設けられ、前記指示装置は、前記表示部上において指示している位置の前記位置情報パターンを光学的に読み取るように構成され、前記画素は、複数の異なる色のサブ画素を有し、前記位置情報パターンは、複数のマークの集合で構成され、前記マークのうち半数以上は、前記複数の異なる色のうちの特定の一色の前記サブ画素に設けられている。
【０００９】
ここに開示された別の技術は、複数の画素が設けられて画像を表示する表示部を有する表示装置と、前記表示部上の位置を指示する指示装置とを備え、該指示装置に指示された位置に応じた表示制御を行う表示制御システムが対象である。そして、前記表示部には、該表示部上の位置を表す位置情報パターンが設けられ、前記指示装置は、前記表示部上において指示している位置の前記位置情報パターンを光学的に読み取るように構成され、前記画素は、複数の異なる色のサブ画素を有し、前記位置情報パターンは、前記サブ画素に設けられた複数のマークの集合で構成され、各色の前記サブ画素のうち、視感度が最も高い色の前記サブ画素に設けられた前記マークの数が最も少ない。
【００１０】
ここに開示された別の技術は、複数の画素が設けられて画像を表示する表示部を有する表示装置と、前記表示部上の位置を指示する指示装置とを備え、該指示装置に指示された位置に応じた表示制御を行う表示制御システムが対象である。そして、前記表示部には、該表示部上の位置を表す位置情報パターンが設けられ、前記指示装置は、前記表示部上において指示している位置の前記位置情報パターンを光学的に読み取るように構成され、前記画素は、複数の異なる色のサブ画素を有し、前記位置情報パターンは、前記サブ画素に設けられた複数のマークの集合で構成され、各色の前記サブ画素のうち、視感度が最も低い色の前記サブ画素に設けられた前記マークの数が最も多い。
【００１１】
ここに開示された別の技術は、複数の画素が設けられて画像を表示する表示部を有する表示装置が対象である。そして、前記表示部には、外部から光学的に読み取り可能であって該表示部上の位置を表す位置情報パターンが設けられ、前記画素は、複数の異なる色のサブ画素を有し、前記位置情報パターンは、複数のマークの集合で構成され、前記マークのうち半数以上は、前記複数の異なる色のうちの特定の一色の前記サブ画素に設けられている。
【００１２】
ここに開示された別の技術は、複数の画素が設けられて画像を表示する表示部を有する表示装置が対象である。そして、前記表示部には、外部から光学的に読み取り可能であって該表示部上の位置を表す位置情報パターンが設けられ、前記画素は、複数の異なる色のサブ画素を有し、前記位置情報パターンは、前記サブ画素に設けられた複数のマークの集合で構成され、各色の前記サブ画素のうち、視感度が最も高い色の前記サブ画素に設けられた前記マークの数が最も少ない。
【００１３】
ここに開示された別の技術は、複数の画素が設けられて画像を表示する表示部を有する表示装置が対象である。そして、前記表示部には、外部から光学的に読み取り可能であって該表示部上の位置を表す位置情報パターンが設けられ、前記画素は、複数の異なる色のサブ画素を有し、前記位置情報パターンは、前記サブ画素に設けられた複数のマークの集合で構成され、各色の前記サブ画素のうち、視感度が最も低い色の前記サブ画素に設けられた前記マークの数が最も多い。
【００１４】
ここに開示された別の技術は、複数の画素が設けられて画像を表示する表示部を有する表示パネルが対象である。そして、前記表示部には、外部から光学的に読み取り可能であって前記表示部上の位置を表す位置情報パターンが設けられ、前記画素は、複数の異なる色のサブ画素を有し、前記位置情報パターンは、複数のマークの集合で構成され、前記マークの半数以上は、前記複数の異なる色のうちの特定の一色の前記サブ画素に設けられている。
【００１５】
ここに開示された別の技術は、複数の画素が設けられて画像を表示する表示部を有する表示パネルが対象である。そして、前記表示部には、外部から光学的に読み取り可能であって該表示部上の位置を表す位置情報パターンが設けられ、前記画素は、複数の異なる色のサブ画素を有し、前記位置情報パターンは、前記サブ画素に設けられた複数のマークの集合で構成され、各色の前記サブ画素のうち、視感度が最も高い色の前記サブ画素に設けられた前記マークの数が最も少ない。
【００１６】
ここに開示された別の技術は、複数の画素が設けられて画像を表示する表示部を有する表示パネルが対象である。そして、前記表示部には、外部から光学的に読み取り可能であって該表示部上の位置を表す位置情報パターンが設けられ、前記画素は、複数の異なる色のサブ画素を有し、前記位置情報パターンは、前記サブ画素に設けられた複数のマークの集合で構成され、各色の前記サブ画素のうち、視感度が最も低い色の前記サブ画素に設けられた前記マークの数が最も多い。
【発明の効果】
【００１７】
前記表示制御システムによれば、表示部におけるムラを抑制することができる。
【００１８】
前記表示装置によれば、表示部におけるムラを抑制することができる。
【００１９】
前記表示パネルによれば、表示部におけるムラを抑制することができる。
【図面の簡単な説明】
【００２０】
【図１】図１は、実施形態１に係る表示制御システムの概略図である。
【図２】図２は、表示制御システムのブロック図である。
【図３】図３は、表示パネルの概略断面図である。
【図４】図４は、表示部の拡大図である。
【図５】図５は、デジタルペンの概略断面図である。
【図６】図６は、カラーフィルタの平面図である。
【図７】図７は、ドットの配置パターンを示す図であり、（Ａ）は、符号「１」に対応する配置を、（Ｂ）は、符号「２」に対応する配置を、（Ｃ）は、符号「３」に対応する配置を、（Ｄ）は、符号「４」に対応する配置を示す。
【図８】図８は、表示制御システムの処理の流れを示すフローチャートである。
【図９】図９は、変形例に係るカラーフィルタの平面図である。
【図１０】図１０は、ドットの配置パターンを示す図であり、（Ａ）は、符号「１」に対応する配置を、（Ｂ）は、符号「２」に対応する配置を、（Ｃ）は、符号「３」に対応する配置を、（Ｄ）は、符号「４」に対応する配置を示す。
【図１１】図１１は、別の変形例に係るカラーフィルタの平面図である。
【図１２】図１２は、実施形態２に係るカラーフィルタの平面図である。
【図１３】図１３は、ドットの配置パターンを示す図であり、（Ａ）は、符号「１」に対応する配置を、（Ｂ）は、符号「２」に対応する配置を、（Ｃ）は、符号「３」に対応する配置を、（Ｄ）は、符号「４」に対応する配置を示す。
【図１４】図１４は、変形例に係るドットの配置パターンを示す図であり、（Ａ）は、符号「１」に対応する配置を、（Ｂ）は、符号「２」に対応する配置を、（Ｃ）は、符号「３」に対応する配置を、（Ｄ）は、符号「４」に対応する配置を示す。
【図１５】図１５は、その他の実施形態に係るデジタルペンの概略断面図である。
【図１６】図１６は、その他の実施形態に係る表示制御システムのブロック図である。
【図１７】図１７は、表示制御システムの処理の流れを示すフローチャートである。
【発明を実施するための形態】
【００２１】
以下、実施形態を図面に基づいて詳細に説明する。
【００２２】
《発明の実施形態１》
［１．表示制御システムの概要］
図１は、実施形態１に係る表示制御システム１００の外観を示す概略図である。表示制御システム１００は、光学式デジタルペン（以下、単に「デジタルペン」と称する。）１０と、表示装置２０とを備えている。詳しくは後述するが、表示装置２０は、液晶ディスプレイであり、表示部２１に様々な画像を表示することができる。また、表示装置２０には、表示部２１上における位置を表すドットパターンが設けられている。デジタルペン１０は、ドットパターンを光学的に読み取ることによって、表示部２１上におけるデジタルペン１０の位置に関する情報（以下、「位置情報」ともいう）を検出し、該位置情報を表示装置２０に送信する。表示装置２０は、該位置情報を入力として受け取り、様々な表示制御を行う。例えば、表示装置２０は、デジタルペン１０の軌跡に応じて表示部２１に点を連続的に表示する。これにより、デジタルペン１０を用いて表示部２１に文字や図形等を手書き入力することができる。または、表示装置２０は、デジタルペン１０の軌跡に応じて表示部２１の点を連続的に消去する。これにより、デジタルペン１０を消しゴムのように用いて表示部２１の文字や図形を消去することができる。すなわち、デジタルペン１０は、読み取り装置として機能すると共に、表示制御システム１００への入力装置としても機能する。デジタルペン１０は、指示装置の一例である。
【００２３】
［２．表示装置の構成］
以下、表示装置２０について説明する。図２は、表示制御システム１００の概略構成を示すブロック図である。
【００２４】
表示装置２０は、外部からの信号を受信する受信部２２と、表示装置２０全体を制御する表示側マイコン２３と、画像を表示する表示パネル２４とを有している。
【００２５】
受信部２２は、詳しくは後述する、デジタルペン１０から送信された信号を受信する。受信部２２が受信した信号は、表示側マイコン２３に送られる。
【００２６】
表示側マイコン２３は、ＣＰＵやメモリなどから構成されており、ＣＰＵを動作させるためのプログラムも実装されている。例えば、表示側マイコン２３は、デジタルペン１０から送信された信号に基づいて表示パネル２４を制御して、表示パネル２４に表示させる内容を変更する。
【００２７】
図３は、表示パネル２４の概略断面図である。表示パネル２４は、液晶パネルである。表示パネル２４の基本的な構成は、一般的な液晶パネルの構成と同様である。詳しくは、表示パネル２４は、一対のガラス基板２５と、各ガラス基板２５の外表面に設けられた偏光フィルタ２６と、一対のガラス基板２５の間に設けられた一対の配向膜２７と、一対の配向膜２７の間に設けられた液晶層２８と、各配向膜２７に設けられた透明電極２９と、表面側のガラス基板２５と透明電極２９との間に設けられたカラーフィルタ３０とを有している。表示パネル２４の表面には、表示部２１が形成されている。
【００２８】
図４は、表示部２１の拡大図である。表示部２１には、複数の画素４０が設けられている。表示部２１には、複数の画素４０が行列状に配列されている。各画素４０は、赤色のサブ画素４１ｒと、緑色のサブ画素４１ｇと、青色のサブ画素４１ｂとを含んでいる。尚、色を区別しないときには、単に、「サブ画素４１」と称する。この表示部２１に様々な画像が表示される。詳しくは後述するが、サブ画素４１には、ドット３３が設けられている。そして、複数のドット３３の集合でドットパターンを形成している。ドットパターンは、位置情報パターンの一例である。ドット３３は、マークの一例である。
【００２９】
［３．デジタルペンの構成］
次に、デジタルペン１０の詳細な構成について説明する。図５は、デジタルペン１０の概略構成を示す断面図である。
【００３０】
デジタルペン１０は、円筒状の本体部１１と、本体部１１の先端に取り付けられたペン先部１２と、ペン先部１２に作用する圧力を検出する圧力センサ１３と、赤外光を出射する照射部１４と、入射してきた赤外光を読み取る読取部１５と、デジタルペン１０を制御する制御部１６と、外部へ信号を出力する送信部１７と、デジタルペン１０の各部材に電力を供給する電源１９とを有している。
【００３１】
本体部１１は、一般的なペンと同様の円筒で形成されている。ペン先部１２は、先細形状であって、その先端は表示部２１の表面を傷つけない程度に丸く形成されている。また、ペン先部１２の形状は、ユーザが表示部２１に表示される画像を認識しやすい形状であることが好ましい。
【００３２】
圧力センサ１３は、本体部１１に内蔵され、ペン先部１２の基端部に連結されている。圧力センサ１３は、ペン先部１２に加わる圧力を検出し、その検出結果を制御部１６へ送信する。具体的には、圧力センサ１３は、ユーザがデジタルペン１０を用いて表示部２１上に文字などを記入する際にペン先部１２に加わる圧力を検出する。つまり、圧力センサ１３は、デジタルペン１０を用いたユーザの入力意思の有無を判定する際に用いられる。
【００３３】
照射部１４は、本体部１１の先端部であって、ペン先部１２の近傍に設けられている。照射部１４は、例えば、赤外線ＬＥＤで構成されており、本体部１１の先端から赤外光を照射するように構成されている。
【００３４】
読取部１５は、本体部１１の先端部であって、ペン先部１２の近傍に設けられている。読取部１５は、対物レンズ１５ａと、撮像素子１５ｂとを有している。対物レンズ１５ａは、入射してくる光を撮像素子１５ｂに結像させる。対物レンズ１５ａは本体部１１の先端部に設けられているので、対物レンズ１５ａには、照射部１４から出射され、表示装置２０で反射した赤外光が入射する。撮像素子１５ｂは、対物レンズ１５ａの光軸上に設けられている。撮像素子１５ｂは、撮像面に結像した光学像を電気信号に変換して制御部１６へ出力する。撮像素子１５ｂは、例えば、ＣＣＤイメージセンサやＣＭＯＳイメージセンサで構成される。詳しくは後述するが、前記ドットパターンは赤外光を吸収する材料で形成されているので、ドットパターンからは赤外光が返ってこない。その結果、ドットパターンが黒く表現された光学像が撮像素子１５ｂに撮像される。
【００３５】
制御部１６は、図２に示すように、特定部１６ａと、ペン側マイコン１６ｂとを有する。特定部１６ａは、読取部１５からの画像信号に基づいてデジタルペン１０の表示部２１上の位置情報を特定する。詳しくは、特定部１６ａは、読取部１５が取得した画像信号からドットパターンを取得し、該ドットパターンに基づいてペン先部１２の、表示部２１上の位置を特定する。特定部１６ａにより特定されたペン先部１２の位置に関する情報は、ペン側マイコン１６ｂへ送られる。ペン側マイコン１６ｂ、デジタルペン１０全体を制御する。ペン側マイコン１６ｂは、ＣＰＵやメモリなどから構成されており、ＣＰＵを動作させるためのプログラムも実装されている。
【００３６】
送信部１７は、信号を外部に送信する。具体的には、送信部１７は、特定部１６ａにより特定した位置情報を外部へ無線送信する。送信部１７は、表示装置２０の受信部２２と近距離無線通信を行う。送信部１７は、本体部１１のうちペン先部１２とは反対側の端部に設けられている。
【００３７】
［４．カラーフィルタの詳細構造］
続いて、カラーフィルタ３０の詳細構造について説明する。図６は、カラーフィルタ３０の平面図である。
【００３８】
カラーフィルタ３０は、ブラックマトリクス３１と、該ブラックマトリクス３１により区画され、特定の色の光を透過させる複数の画素領域３２と、画素領域３２内に設けられたドット３３とを有している。各画素領域３２は、長方形状をしている。画素領域３２には、赤色（Ｒ）の光を透過させる赤色画素領域３２ｒと、緑色（Ｇ）の光を透過させる緑色画素領域３２ｇと、青色（Ｂ）の光を透過させる青色画素領域３２ｂとを含んでいる。各画素領域３２は、表示部２１のサブ画素４１に対応している。具体的には、赤色画素領域３２ｒは、赤色のサブ画素４１ｒに対応し、緑色画素領域３２ｇは、緑色のサブ画素４１ｇに対応し、青色画素領域３２ｂは、青色のサブ画素４１ｂに対応する。尚、透過させる色を区別しないときには、単に、「画素領域３２」と称する。赤色画素領域３２ｒ、緑色画素領域３２ｇ及び青色画素領域３２ｂは、画素領域３２の短手方向において、この順で並んでいる。画素領域３２の長手方向については、同じ色の画素領域３２が並んでいる。つまり、赤色画素領域３２ｒの長手方向の隣りには、別の赤色画素領域３２ｒが並んでいる。同様に、緑色画素領域３２ｇの長手方向の隣りには、別の緑色画素領域３２ｇが並んでいる。青色画素領域３２ｂについても同様である。ブラックマトリクス３１は、画素領域３２の長手方向に延びる縦線と、画素領域３２の短手方向に延びる横線とを含み、格子状に形成されている。横線は、縦線に比べて、太く形成されている。ブラックマトリクス３１及びドット３３は、カーボンブラックを主成分とする材料で形成されている。ドット３３は、中実の円形に形成されている。ドット３３は、全ての画素領域３２ではなく、いくつかの画素領域３２に設けられている。カラーフィルタ３０においては、複数のドット３３が一かたまりとなってドットパターンを形成している。このドットパターンは、カラーフィルタ３０の位置に応じて異なっている。
【００３９】
以下に、ドットパターンについて詳しく説明する。
【００４０】
まず、カラーフィルタ３０上に第１基準線３４と第２基準線３５とを規定する。これら第１及び第２基準線３４，３５は、仮想的な線であり、実際に存在する線ではない。第１基準線３４は、画素領域３２の短手方向に延びる直線であり、ブラックマトリクス３１の横線上を延びている。第１基準線３４は、画素領域３２の長手方向に複数並設されており、ブラックマトリクス３１の横線を２つおきに設けられている。第２基準線３５は、画素領域３２の長手方向に延びる直線であり、緑色画素領域３２ｇと青色画素領域３２ｂとを仕切るブラックマトリクス３１の縦線上を延びている。第２基準線３５は、画素領域３２の短手方向に複数並設されている。ただし、第２基準線３５は、緑色画素領域３２ｇと青色画素領域３２ｂとを仕切る全てのブラックマトリクス３１の縦線上に設けられているわけではなく、緑色画素領域３２ｇと青色画素領域３２ｂとの組を２組おきに設けられている。これら第１基準線３４及び第２基準線３５により、カラーフィルタ３０上には格子が規定される。
【００４１】
各ドット３３は、第１基準線３４と第２基準線３５との交点の周辺に配置される。図７は、ドット３３の配置パターンを示す図である。ドット３３は、該交点から、第１及び第２基準線３４，３５に対して斜めの四方向の何れかにオフセットした位置に配置される。具体的には、ドット３３は、図７（Ａ）〜（Ｄ）の何れかの配置となる。図７（Ａ）の配置では、ドット３３は、第１基準線３４と第２基準線３５との交点の右上に位置する赤色画素領域３２ｒ内に配置される。この配置を数値化する際には「１」で表す。図７（Ｂ）の配置では、ドット３３は、第１基準線３４と第２基準線３５との交点に左上に位置する赤色画素領域３２ｒ内に配置される。この配置を数値化する際には「２」で表す。図７（Ｃ）の配置では、ドット３３は、第１基準線３４と第２基準線３５との交点の左下に位置する赤色画素領域３２ｒ内に配置される。この配置を数値化する際には「３」で表す。図７（Ｄ）の配置では、ドット３３は、第１基準線３４と第２基準線３５との交点の右下に位置する赤色画素領域３２ｒ内に配置される。この配置を数値化する際には「４」で表す。このように、何れの配置においても、ドット３３は、赤色画素領域３２ｒ内、即ち、赤色のサブ画素４１ｒ内に配置されている。
【００４２】
そして、６ドット×６ドットを１つの単位エリアとして、単位エリアに含まれる３６個のドット３３で１つのドットパターンを形成する。単位エリアに含まれる３６個のドット３３のそれぞれを前記「１」〜「４」の何れかの配置とすることによって、膨大な数のドットパターンを形成することができる。各単位エリアのドットパターンは、全て異なっている。
【００４３】
これらのドットパターンの１つ１つには、情報を付加されている。詳しくは、各ドットパターンは、単位エリアごとの位置座標を表している。つまり、カラーフィルタ３０を、６ドット×６ドットの単位エリアで分割すると、各ドットパターンはその単位エリアの位置座標を表している。このようなドットパターンのパターンニング（コーディング）や座標変換（デコーディング）の方法は、例えば、特開２００６−１４１０６７号公報に開示されているような公知の方法を用いることができる。
【００４４】
［５．動作］
続いて、このように構成された表示制御システム１００の動作について説明する。図８は、表示制御システム１００の処理の流れを示すフローチャートである。以下では、ユーザが、デジタルペン１０を用いて表示装置２０に文字を記入する場合について説明する。
【００４５】
まず、表示制御システム１００の電源がオンされると、ステップＳ１１において、デジタルペン１０のペン側マイコン１６ｂは、ペン先部１２に作用する圧力の監視を開始する。この圧力の検出は、圧力センサ１３が行う。圧力が検出されると（Ｙｅｓ）、ペン側マイコン１６ｂは、ユーザが表示装置２０の表示部２１に対して文字を入力していると判定し、ステップＳ１２へ進む。圧力が検出されていない間（Ｎｏ）は、ペン側マイコン１６ｂは、ステップＳ１１を繰り返す。
【００４６】
ステップＳ１２では、デジタルペン１０の読取部１５が、表示部２１に形成されたドットパターンを検出する。圧力センサ１３により圧力が検出されると、照射部１４は赤外光を出射する。尚、デジタルペン１０の電源がオンされると、照射部１４が赤外光の照射を開始するようにしてもよい。この赤外光は、少なくとも表示装置２０のカラーフィルタ３０に設けられたドット３３に吸収される一方、画素領域３２等において反射される。反射された赤外光は、対物レンズ１５ａを介して撮像素子１５ｂに受光される。対物レンズ１５ａは、表示部２１上においてペン先部１２が指示している位置からの反射光を受光するように配置されている。その結果、表示面２１上における指示位置のドットパターンが撮像素子１５ｂにより撮像される。このようにして、読取部１５は、ドットパターンを光学的に読み取る。読取部１５が取得した画像信号は、特定部１６ａに送信される。
【００４７】
ステップＳ１３では、特定部１６ａが、画像信号からドットパターンを取得し、該ドットパターンに基づいてペン先部１２の、表示部２１上の位置を特定する。詳しくは、特定部１６ａは、得られた画像信号に所定の画像処理を施すことにより、ドットパターンを取得する。例えば、ブラックマトリクス３１は、ドット３３と同様に、カーボンブラックで形成されているため、赤外光を吸収する。そのため、読取部１５からの画像には、ブラックマトリクス３１もドット３３同じ状態で含まれている。そこで、読取部１５からの画像信号に所定の画像処理を施すことによりドット３３をブラックマトリクス３１から判別し易くし、処理後の画像信号から複数のドット３３の配列を取得する。続いて、特定部１６ａは、取得されたドット３３の配列から６ドット×６ドットの単位エリアを割り出すと共に、該単位エリアのドットパターンから該単位エリアの位置座標（位置情報）を特定する。特定部１６ａは、ドットパターンのコーディング方法に対応した所定の演算により、ドットパターンを位置座標に変換する。特定された位置情報は、ペン側マイコン１６ｂに送信される。
【００４８】
続いて、ステップＳ１４では、ペン側マイコン１６ｂは、位置情報を送信部１７を介して表示装置２０へ送信する。
【００４９】
デジタルペン１０から送信された位置情報は、表示装置２０の受信部２２により受信される。受信された位置情報は、受信部２２から表示側マイコン２３に送信される。ステップＳ１５において、表示側マイコン２３は、位置情報を受信すると、位置情報に対応する位置の表示内容を変更するように表示パネル２４を制御する。この例では、文字の入力なので、表示部２１における、位置情報に対応する位置に点を表示する。
【００５０】
続いて、ステップＳ１６において、ペン側マイコン１６ｂは、ユーザによる入力が継続しているか否かを判定する。圧力センサ１３が圧力を検出している場合には、ペン側マイコン１６ｂは、ユーザによる入力が継続していると判定して、ステップＳ１１へ戻る。そして、前記のフローを繰り返すことによって、デジタルペン１０のペン先部１２の移動に追従して、表示部２１上におけるペン先部１２の位置に点が連続的に表示される。最終的には、デジタルペン１０のペン先部１２の軌跡に応じた文字が表示装置２０の表示部２１に表示される。
【００５１】
一方、ステップＳ１５において、圧力センサ１３が圧力を検出していない場合には、ペン側マイコン１６ｂは、ユーザによる入力が継続していないと判定して、処理を終了する。
【００５２】
こうして、表示装置２０が表示部２１上におけるデジタルペン１０の先端の軌跡を表示部２１に表示することによって、デジタルペン１０を用いた表示部２１への手書き入力を行うことができる。
【００５３】
尚、以上では、文字を記入する場合について説明したが、表示制御システム１００の使い方は、これに限られるものでない。文字に限らず、数字、記号及び図形等を記入できることはもちろんのことであるが、デジタルペン１０を消しゴムのように用いて、表示部２１に表示された文字、図形等を消すこともできる。つまり、表示装置２０は、デジタルペン１０の移動に追従して、表示部２１上におけるデジタルペン１０の位置の表示を連続的に消去することによって、表示部２１上におけるデジタルペン１０の先端の軌跡と一致する部分の表示を消去することができる。さらには、デジタルペン１０をマウスのように用いて、表示部２１に表示されるカーソルを移動させたり、表示部２１に表示されるアイコンを選択したりすることもできる。すなわち、デジタルペン１０を用いて、グラフィッカルユーザインターフェイスを操作することができる。このように、表示制御システム１００においては、デジタルペン１０が指示する表示部２１上の位置が表示装置２０に入力され、表示装置２０が該入力に応じて様々な表示制御を行う。
【００５４】
［６．実施形態の効果］
したがって、本実施形態によれば、表示制御システム１００は、複数の画素４０が設けられて画像を表示する表示部２１を有する表示装置２０と、前記表示部２１上の位置を指示するデジタルペン１０とを備え、該デジタルペン１０に指示された位置に応じた表示制御を行う。そして、前記表示部２１には、前記表示部２１上の位置を表すドットパターンが設けられ、前記デジタルペン１０は、前記表示部２１上において指示している位置の前記ドットパターンを光学的に読み取るように構成され、前記画素４０は、複数の異なる色のサブ画素４１を有し、前記ドットパターンは、複数のドット３３の集合で構成され、半数以上（詳細には、実質的に全て）の前記ドット３３は、赤色のサブ画素４１ｒに設けられている。
【００５５】
換言すると、表示装置２０は、複数の画素４０が設けられて画像を表示する表示部４１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、複数のドット３３の集合で構成され、半数以上（詳細には、実質的に全て）の前記ドット３３は、赤色のサブ画素４１ｒに設けられている。
【００５６】
さらに換言すると、表示パネル２４は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、複数のドット３３の集合で構成され、半数以上（詳細には、実質的に全て）の前記ドット３３は、赤色のサブ画素４１ｒに設けられている。
【００５７】
前記の構成によれば、緑色及び青色のサブ画素４１ｇ，４１ｂに設けられたドット３３は少ないので、緑色及び青色の色ムラを抑制することができる。すなわち、ドット３３は、可視光を完全に透過させるわけではない。そのため、同じ色のサブ画素４１であっても、ドット３３が設けられたサブ画素４１とドット３３が設けられていないサブ画素４１とでは色ムラが生じてしまう。それに対し、前記の構成によれば、少なくとも半数のドット３３が赤色のサブ画素４１ｒに設けられているので、緑色及び青色の色ムラを抑制することができる。
【００５８】
特に、実質的に全てのドット３３が赤色のサブ画素４１ｒに設けられているので、緑色及び青色のサブ画素４１ｇ，４１ｂに設けられたドット３３を実質的に零にすることができ、緑色及び青色の色ムラを抑制することができる。ここで、「実質的に全て」とは、少なくとも９５％以上を意味する（以下、同様）。
【００５９】
また、半数以上のドット３３を設ける特定の一色のサブ画素４１を緑色のサブ画素４１ｇ以外のサブ画素４１にすることによって、表示部２１の全体的な色ムラを抑制することができる。すなわち、半数以上のドット３３を特定の一色のサブ画素４１に設けることによって、該特定の一色においては色ムラが大きくなり得る。仮に該特定の一色が緑色だとすると、緑色の視感度が高いため、色ムラが人間に認識され易くなってしまう。それに対し、該特定の一色を緑色以外の色にすることによって、該特定の一色において色ムラが生じたとしても、色ムラが目立たない。その結果、表示部２１全体としての色ムラを抑制することができる。
【００６０】
さらに、半数以上のドット３３を設ける特定の一色のサブ画素４１を赤色のサブ画素４１ｒにすることによって、表示部２１の全体的な色ムラをより一層抑制することができる。すなわち、赤色は前記三色の中で最も視感度が低いため、赤色に色ムラが生じたとしても、人間の目にとっては色ムラが目立たない。
【００６１】
また、本実施形態によれば、表示制御システム１００は、複数の画素４０が設けられて画像を表示する表示部４１を有する表示装置２０と、前記表示部２１上の位置を指示するデジタルペン１０とを備え、該デジタルペン１０に指示された位置に応じた表示制御を行う。前記表示部２１には、前記表示部２１上の位置を表すドットパターンが設けられ、前記デジタルペン１０は、前記表示部２１上において指示している位置の前記ドットパターンを光学的に読み取るように構成され、前記画素４０は、複数の異なる色のサブ画素４１を有し、前記ドットパターンは、前記サブ画素４１に設けられた複数のドット３３の集合で構成され、各色の前記サブ画素４１のうち、視感度が最も高い色、即ち緑色のサブ画素４１ｇに設けられた前記ドット３３の数が最も少ない。詳細には、緑色のサブ画素４１ｇに設けられたドット３３は、実質的に零である。
【００６２】
換言すると、表示装置２０は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、前記サブ画素４１に設けられた複数のドット３３の集合で構成され、各色の前記サブ画素４１のうち、視感度が最も高い色、即ち緑色のサブ画素４１ｇに設けられた前記ドット３３の数が最も少ない。詳細には、緑色のサブ画素４１ｇに設けられたドット３３は、実質的に零である。
【００６３】
さらに換言すると、表示パネル２４は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、前記サブ画素４１に設けられた複数のドット３３の集合で構成され、各色の前記サブ画素４１のうち、視感度が最も高い色、即ち緑色のサブ画素４１ｇに設けられた前記ドット３３の数が最も少ない。詳細には、緑色のサブ画素４１ｇに設けられたドット３３は、実質的に零である。
【００６４】
前記の構成によれば、表示部２１全体の輝度ムラを目立たなくさせることができる。すなわち、ドット３３は、可視光を完全に透過させるわけではないので、ドット３３が設けられたサブ画素４１とドット３３が設けられていないサブ画素４１とでは、輝度ムラが生じる。ここで、緑色は前記三色の中で最も視感度が高いため、緑色において輝度ムラが生じると、目立ってしまう。それに対し、前記の構成によれば、緑色のサブ画素４１ｇに設けられたドット３３が最も少ないので、緑色の輝度ムラを抑制することができる。その結果、表示部２１全体の輝度ムラを目立たなくさせることができる。
【００６５】
さらには、前記ドット３３は、視感度が最も高い色である緑色のサブ画素４１ｇに設けられておらず、緑色以外の色のサブ画素４１、具体的には赤色のサブ画素４１ｒに設けられている。
【００６６】
前記の構成によれば、前記三色の中が最も視感度が高い緑色のサブ画素４１ｇにはドット３３が設けられていないので、緑色の輝度ムラをより一層抑制することができる。その結果、表示部２１全体の輝度ムラをより一層目立たなくさせることができる。
【００６７】
また、本実施形態によれば、表示制御システム１００は、複数の画素４０が設けられて画像を表示する表示部４１を有する表示装置２０と、前記表示部２１上の位置を指示するデジタルペン１０とを備え、該デジタルペン１０に指示された位置に応じた表示制御を行う。前記表示部２１には、前記表示部２１上の位置を表すドットパターンが設けられ、前記デジタルペン１０は、前記表示部２１上において指示している位置の前記ドットパターンを光学的に読み取るように構成され、前記画素４０は、複数の異なる色のサブ画素４１を有し、前記ドットパターンは、前記サブ画素４１に設けられた複数のドット３３の集合で構成され、各色の前記サブ画素４１のうち、視感度が最も低い色、即ち赤色のサブ画素４１ｒに設けられた前記ドット３３の数が最も多い。詳細には、実質的に全てのドット３３が赤色のサブ画素４１ｒに設けられている。
【００６８】
換言すると、表示装置２０は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、前記サブ画素４１に設けられた複数のドット３３の集合で構成され、各色の前記サブ画素４１のうち、視感度が最も低い色、即ち赤色のサブ画素４１ｒに設けられた前記ドット３３の数が最も多い。詳細には、実質的に全てのドット３３が赤色のサブ画素４１ｒに設けられている。
【００６９】
さらに換言すると、表示パネル２４は、複数の画素４０が設けられて画像を表示する表示部２１を有する。前記表示部２１には、外部から光学的に読み取り可能であって前記表示部２１上の位置を表すドットパターンが設けられ、前記画素４０は、複数の異なる色のサブ画素４１を有し、前記ドットパターンは、前記サブ画素４１に設けられた複数のドット３３の集合で構成され、各色の前記サブ画素４１のうち、視感度が最も低い色、即ち赤色のサブ画素４１ｒに設けられた前記ドット３３の数が最も多い。詳細には、実質的に全てのドット３３が赤色のサブ画素４１ｒに設けられている。
【００７０】
前記の構成によれば、表示部２１全体の輝度ムラを目立たなくさせることができる。すなわち、赤色のサブ画素４１ｒに設けられたドット３３が最も多い、詳細には実質的に全てのドット３３が赤色のサブ画素４１ｒに設けられているので、緑色及び青色の輝度ムラを抑制することができる。その一方で、赤色においては輝度ムラを生じさせてしまうものの、赤色は前記三色の中で最も視感度が低いため、輝度ムラがあまり目立たない。その結果、表示部２１全体の輝度ムラを抑制することができる。
【００７１】
また、色ムラ及び輝度ムラを抑制するためには、視感度の観点からは、視感度の高いサブ画素４１ほど、ドット３３が少ないことが好ましい。例えば、前記実施形態によれば、赤色のサブ画素４１ｒ、青色のサブ画素４１ｂ、緑色のサブ画素４１ｇの順でドット３３の比率が小さくなることが好ましい。
【００７２】
また、前記実施形態によれば、表示部２１のドットパターンを読み取ることでデジタルペン１０の位置を検出することによって、高精細な手書き入力を行うことができる。つまり、表示装置の表示面に手書き入力を行う構成としては、表示装置に静電容量センサ等のセンサを内蔵させ、表示面におけるスタイラスの接触点をセンサにより検出することにより、スタイラスの位置を検出し、スタイラスの軌跡に応じた入力を行う構成が考えられる。このような構成では、手書き入力の精細さは、スタイラスの位置検出の精度、即ち、センサの位置検出分解能に依存する。しかしながら、センサは或る程度の大きさを有するため、あまり多くのセンサを表示装置に設けることは難しい。また、タッチセンサの個数が増えると、コストも増大してしまう。それに対し、本実施形態によれば、手書き入力の精細さは、デジタルペン１０によるドットパターンの検出精度に依存する。この検出精度は、ドットパターンを高密度化することにより容易に向上させることができる。ドットパターンをどこまで高密度化できるかは、ドットパターンを高密度に作製する能力だけでなく、デジタルペン１０の解像度やドットパターンの判別能力に依存する。しかし、ドットパターンを高密度に作製することはタッチセンサの検出分解能を向上させることに比べて容易である。また、デジタルペン１０の解像度をそれほど上げなくても、タッチセンサの検出分解能に比べて高密度のドットパターンを十分に読み取ることができる。よって、表示部２１のドットパターンを読み取ることでデジタルペン１０の位置を検出することによって、表示装置側のセンサでペンの位置を検出する構成に比べて、高精細な手書き入力を行うことができる。
【００７３】
［７．変形例］
以下に、実施形態の変形例について説明する。
【００７４】
図９は、変形例に係るカラーフィルタ２３０の平面図であり、図１０は、ドット３３の配置パターンを示す図である。前記実施形態では、ドット３３は、第１基準線３４と第２基準線３５との交点から、第１及び第２基準線３４，３５に対して斜めの方向にオフセットした位置に配置されている。しかし、図９に示すように、ドット３３は、第１基準線３４と第２基準線３５との交点から、第１又は第２基準線３４，３５に沿った方向にオフセットした位置に配置されてもよい。尚、ドット３３は、詳細には、前記実施形態と同様に、カラーフィルタ３０の画素領域３２に設けられている。
【００７５】
詳しくは、この変形例においては、各第１基準線３４は、画素領域３２の長手方向中央に位置している。そして、第１基準線３４は、画素領域３２の長手方向に画素領域３２を２つおきに、複数並設されている。各第２基準線３５は、赤色画素領域３２ｒの短手方向中央に位置している。そして、第２基準線３５は、画素領域３２の短手方向に赤色画素領域３２ｒを２つおきに、複数並設されている。その結果、第１基準線３４と第２基準線３５との交点は、赤色画素領域３２ｒ上に位置している。
【００７６】
ドット３３は、該交点から、第１又は第２基準線３４，３５に沿った、互いに直交する四方向の何れかにオフセットした位置に配置される。具体的には、ドット３３は、図１０（Ａ）〜（Ｄ）の何れかの配置となる。図１０（Ａ）の配置では、ドット３３は、第１基準線３４と第２基準線３５との交点から、第１基準線３４上を右側にオフセットした位置に配置される。このとき、ドット３３は、交点が位置する赤色画素領域３２ｒの右側に位置する赤色画素領域３２ｒ上に配置される。図１０（Ｂ）の配置では、ドット３３は、第１基準線３４と第２基準線３５との交点から、第２基準線３５上を上側にオフセットした位置に配置される。このとき、ドット３３は、交点が位置する赤色画素領域３２ｒの上側に位置する赤色画素領域３２ｒ上に配置される。図１０（Ｃ）の配置では、ドット３３は、第１基準線３４と第２基準線３５との交点から、第１基準線３４上を左側にオフセットした位置に配置される。このとき、ドット３３は、交点が位置する赤色画素領域３２ｒの左側に位置する赤色画素領域３２ｒ上に配置される。図１０（Ｄ）の配置では、ドット３３は、第１基準線３４と第２基準線３５との交点から、第２基準線３５上を下側にオフセットした位置に配置される。このとき、ドット３３は、交点が位置する赤色画素領域３２ｒの下側に位置する赤色画素領域３２ｒ上に配置される。この変形例に係る配置であっても、全てのドット３３は、赤色画素領域３２ｒ内、即ち、赤色のサブ画素４１ｒ内に配置されている。
【００７７】
図１１は、別の変形例に係るカラーフィルタ３３０の拡大図を示す。前記実施形態では、ドット３３が全ての赤色画素領域３２ｒではなく、一部の赤色画素領域３２ｒだけに設けられている。しかし、図１１に示すように、実質的に全てのドット３３が赤色画素領域３２ｒに設けられ且つ、実質的に全ての赤色画素領域３２ｒにドット３３が設けられていてもよい。尚、ドット３３は、詳細には、前記実施形態と同様に、カラーフィルタ３０の画素領域３２に設けられている。
【００７８】
この場合、各ドット３３は、赤色画素領域３２ｒ中のどの部分（例えば、右上の隅、左上の隅、左下の隅、右下の隅）に位置するかによって前記「１」〜「４」のような配置パターンを表すこともできる。その結果、前記実施形態と同様に、６ドット×６ドットのドットパターンを形成することができる。
【００７９】
尚、ドット３３の配置パターンは、これに限られるものではない。ドットパターンのコーディングは、任意の手法を採用することができるので、採用するコーディング手法に応じてドット３３の配置パターンを変更すればよい。例えば、コーディング手法によっては、ドット３３を、赤色画素領域３２ｒにおいて、長手方向の上部、中央、下部の何れかの位置に配置してもよい。
【００８０】
この変形例によれば、前記ドット３３は、特定の一色、具体的には赤色のサブ画素４１ｒの全てに設けられている。この構成によれば、赤色については、ドット３３が設けられたサブ画素４１ｒだけであり、ドット３３が設けられていないサブ画素４１ｒは実質的に存在しない。そのため、赤色の色ムラを抑制することができる。
【００８１】
また、前記実施形態及び前記変形例では、実質的に全てのドット３３が赤色画素領域３２ｒ内、即ち、赤色のサブ画素４１ｒ内に設けられている。しかし、赤色以外の特定の一色のサブ画素４１に実質的に全てのドット３３が設けられてもよい。例えば、実質的に全てのドット３３が青色のサブ画素４１ｂに設けられてもよい。また、実質的に全てのドット３３が緑色のサブ画素４１ｇに設けられてもよい。ただし、表示部２１に表示する画像に影響を与えないという観点からは、赤、青、緑の中では緑の視感度が最も高いので、緑以外、即ち、赤色又は青色のサブ画素４１ｒ，４１ｂに実質的に全てのドット３３が設けられていることが好ましい。さらには、赤、青、緑の中では赤の視感度が最も低いので、赤色のサブ画素４１ｒに実質的に全てのドット３３が設けられていることがより好ましい。
【００８２】
《発明の実施形態２》
続いて、実施形態２に係る表示制御システムについて説明する。実施形態２に係る表示制御システムは、ドット３３の配置が実施形態１の表示制御システム１００とは異なる。そこで、実施形態１と同様の構成については、同様の符号を付して説明を省略し、異なる構成を中心に説明する。
【００８３】
図１２は、実施形態２に係るカラーフィルタ４３０の平面図であり、図１３は、ドット３３の配置パターンを示す図である。実施形態２に係る表示制御システムにおいても、カラーフィルタ４３０にドット３３を形成することによって、表示部２１のサブ画素４１にドット３３が設けられている。
【００８４】
カラーフィルタ４３０は、格子状のブラックマトリクス３１と、複数の画素領域３２と、複数のドット３３とを有している。
【００８５】
第１及び第２基準線３４，３５は、図９，１０に示す変形例と同様に、画素領域３２上に規定される。詳しくは、各第１基準線３４は、画素領域３２の長手方向中央に位置している。そして、第１基準線３４は、画素領域３２の長手方向に画素領域３２を２つおきに、複数並設されている。各第２基準線３５は、赤色画素領域３２ｒの短手方向中央に位置している。そして、第２基準線３５は、画素領域３２の短手方向に赤色画素領域３２ｒを２つおきに、複数並設されている。その結果、第１基準線３４と第２基準線３５との交点は、赤色画素領域３２ｒ上に位置している。
【００８６】
ドット３３は、該交点から、第１又は第２基準線３４，３５に沿った、互いに直交する四方向の何れかにオフセットした位置に配置される。具体的には、ドット３３は、図１３（Ａ）〜（Ｄ）の何れかの配置となる。図１３（Ａ）の配置では、ドット３３は、第１基準線３４と第２基準線３５との交点から、第１基準線３４上を右側にオフセットした位置に配置される。このとき、ドット３３は、交点が位置する赤色画素領域３２ｒの右側に隣接する緑色画素領域３２ｇ内に配置される。図１３（Ｂ）の配置では、ドット３３は、第１基準線３４と第２基準線３５との交点から、第２基準線３５上を上側にオフセットした位置に配置される。このとき、ドット３３は、交点が位置する赤色画素領域３２ｒ内の上部に配置される。図１３（Ｃ）の配置では、ドット３３は、第１基準線３４と第２基準線３５との交点から、第１基準線３４上を左側にオフセットした位置に配置される。このとき、ドット３３は、交点が位置する赤色画素領域３２ｒの左側に隣接する青色画素領域３２ｂ内に配置される。図１３（Ｄ）の配置では、ドット３３は、第１基準線３４と第２基準線３５との交点から、第２基準線３５上を下側にオフセットした位置に配置される。このとき、ドット３３は、交点が位置する赤色画素領域３２ｒ内の下部に配置される。つまり、４つの配置パターンのうち２つの配置パターンは、赤色画素領域３２ｒ内にドット３３が配置され、１つの配置パターンは、青色画素領域３２ｂ内にドット３３が配置され、１つの配置パターンは、緑色画素領域３２ｇ内にドット３３が配置される。
【００８７】
これら４つの配置パターンのドット３３を組み合わせて多数のドットパターンを表示部２１に形成する構成において、各配置パターンの使用頻度が概ね等しいとすると、赤色画素領域３２ｒ内に配置されるドット３３と青色画素領域３２ｂ内に配置されるドット３３と緑色画素領域３２ｇ内に配置されるドット３３との比率は、概ね２：１：１となる。
【００８８】
つまり、赤色、緑色及び青色のサブ画素４１のうち、視感度が最も高い色である緑色のサブ画素４１ｇに設けられたドット３３の数が最少である。尚、青色のサブ画素４１ｂに設けられたドット３３の数も最小である。この構成によれば、輝度ムラを目立たなくさせることができる。すなわち、ドット３３は、可視光を完全に透過させるのではなく、多少は吸収し得る。そのため、ドット３３が設けられたサブ画素４１は、ドット３３が設けられていないサブ画素４１に比べて輝度が低減してしまう。その結果、特定の一色に関し、ドット３３が設けられたサブ画素４１とドット３３が設けられていないサブ画素４１とが混在していると、輝度ムラが生じてしまう。この輝度ムラが視感度が高い色で生じると、人間の目に容易に認識されてしまう。前記の構成によれば、赤色、緑色及び青色のうち視感度が最も高い緑色のサブ画素４１ｇに設けられたドット３３が最も少ないので、緑色における輝度ムラを可及的に抑制することができる。その結果、輝度ムラを目立たなくさせることができる。
【００８９】
別の見方をすれば、緑色及び青色のサブ画素４１のうち、視感度が最も低い色である赤色のサブ画素４１ｒに設けられたドット３３の数が最大である。この構成によれば、輝度ムラを目立たなくさせることができる。すなわち、赤色は、赤色、緑色及び青色のうちで最も視感度が低いので、赤色において輝度ムラが生じたとしても、人間の目には認識され難い。前記の構成によれば、赤色のサブ画素４１ｒに設けられたドット３３を増やすことによって、赤色よりも視感度が高い青色や緑色における輝度ムラを可及的に抑制することができる。その結果、輝度ムラを目立たなくさせることができる。
【００９０】
また、別の見方をすれば、ドット３３の半数以上は、特定の一色、即ち、赤色のサブ画素４１ｒに設けられている。これにより、赤色の色ムラを抑制することができる。すなわち、緑色及び青色のサブ画素４１ｇ，４１ｂのそれぞれに設けられたドット３３の個数を可及的に低減することができる。その結果、緑色については、ドット３３が設けられていないサブ画素４１ｇに比べて、ドット３３が設けられたサブ画素４１ｇの数が少なくなるので、緑色の色ムラを低減することができる。同様に、青色についても、ドット３３が設けられていないサブ画素４１ｂに比べて、ドット３３が設けられたサブ画素４１ｂの数が少なくなるので、青色の色ムラを低減することができる。
【００９１】
尚、輝度ムラを低減する観点からは、ドット３３を、視感度が最も高い色である緑色のサブ画素４１ｇには設けず、緑色以外の赤色及び／又は青色のサブ画素４１ｒ，４１ｂに設けることが好ましい。図１４は、ドット３３が緑色のサブ画素４１ｇには設けられておらず、緑色以外のサブ画素４１に設けられる構成におけるドットの配置パターンを示す。この配置パターンにおける、第１及び第２基準線３４，３５は、図１２の変形例と同様に規定される。そして、４つの配置パターンのうち、図１４（Ｂ）〜（Ｄ）に示す「２」〜「４」の配置パターンは、図１３の（Ｂ）〜（Ｄ）に示す配置パターンと同じであり、ドット３３が緑色以外のサブ画素４１に設けられている。一方、図１４（Ａ）に示す「１」の配置パターンは、ドット３３は、第１基準線３４と第２基準線３５との交点から右側にオフセットした位置であって、交点が位置する赤色画素領域３２ｒの右側に位置する緑色画素領域３２ｇのさらに右側に位置する青色画素領域３２ｂ内に配置される。つまり、図１４に示す配置パターンでは、４つの配置パターンのうち２つの配置パターンは、赤色画素領域３２ｒ内にドット３３が配置され、２つの配置パターンは、青色画素領域３２ｂ内にドット３３が配置される。この構成によれば、前記三色のうち視感度が最も高い緑色のサブ画素４１ｇにはドット３３が設けられていないので、輝度ムラを目立たなくさせることができる。
【００９２】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９３】
前記実施形態について、以下のような構成としてもよい。
【００９４】
前記実施形態では、表示装置として液晶ディスプレイを例に挙げて説明したが、これには限られるものではない。表示装置２０は、プラズマディスプレイ、有機ＥＬディスプレイ、無機ＥＬディスプレイなどの、文字や映像を表示可能な装置であればよい。また、表示装置２０は、電子ペーパーのように表示面が自由に変形する装置であってもよい。
【００９５】
また、表示装置２０は、ノートＰＣや携帯型タブレットのディスプレイであり得る。さらには、表示装置２０は、テレビや電子黒板等であり得る。
【００９６】
デジタルペン１０又は表示装置２０は、デジタルペン１０からの位置情報の入力を受けて行う処理を切り替える切替部を有していてもよい。具体的には、デジタルペン１０にスイッチを設け、文字等の入力、文字等の消去、カーソルの移動、及びアイコンの選択等を該スイッチにより切り替えるように構成してもよい。あるいは、表示装置２０に、文字等の入力、文字等の消去、カーソルの移動、及びアイコンの選択等を切り替えるためのアイコンを表示させ、それらをデジタルペン１０を用いて選択するように構成してもよい。さらに、デジタルペン１０や表示装置２０にマウスの右クリックや左クリックに相当するスイッチを設けてもよい。これにより、操作性をさらに向上させることができる。
【００９７】
また、前記デジタルペン１０及び表示装置２０の構成は、一例であって、これらに限られるものではない。図１５は、その他の実施形態に係るデジタルペン１０の概略断面図である。例えば、図１５に示すデジタルペン１０においては、ペン先部１２は、赤外光を透過可能な材料で形成されている。そして、対物レンズ１５ａは、ペン先部１２の先端に内蔵されている。読取部１５は、レンズ１５ｃをさらに有し、対物レンズ１５ａとレンズ１５ｃとで光学系を構成している。複数（例えば、４個）の照射部１４は、本体部１１の先端において、ペン先部１２を囲むように配置されている。照射部１４の個数は、適宜設定することができる。また、照射部１４は、リング状に形成されていてもよい。この構成によれば、デジタルペン１０と表示部２１との接触点とドットパターンを読み取る部分とが一致するため、ペン先部１２の先端の位置をより正確に検出することができる。その結果、ユーザは、実際にペンを使って記入しているのにより近い感覚で、デジタルペン１０を用いた手書き入力を実現することができる。
【００９８】
前記デジタルペン１０と表示装置２０との間の信号の送受信は、無線通信により行われているが、これに限られるものではない。デジタルペン１０と表示装置２０とが有線で接続されており、該有線を介して信号の送受信を行ってもよい。
【００９９】
また、前記実施形態１では、デジタルペン１０が位置情報の特定まで行って、その位置情報を表示装置２０へ送信しているが、これに限られるものではない。図１６は、その他の実施形態に係る表示制御システム２００のブロック図である。図１６に示すデジタルペン２１０は、圧力センサ１３と、照射部１４と、読取部１５と、制御部２１６と、送信部１７とを有している。圧力センサ１３、照射部１４、読取部１５及び送信部１７の構成は、前記実施形態と同様である。制御部２１６は、ペン側マイコン１６ｂを有し、実施形態１の特定部１６ａを有していない。つまり、制御部２１６は、撮像素子１５ｂから入力された画像信号を、該画像信号からデジタルペン２１０の位置情報を特定することなく、送信部１７へ出力する。こうして、デジタルペン２１０からは、撮像素子１５ｂで撮像した画像信号が送信される。図１６に示す表示装置２２０は、外部からの信号を受信する受信部２２と、表示装置２２０全体を制御する表示側マイコン２３と、画像を表示する表示パネル２４と、デジタルペン１０の位置を特定する特定部２４０とを有している。受信部２２、表示側マイコン２３及び表示パネル２４の構成は、前記実施形態と同様である。表示パネル２４の表示部２１には、ドットパターンが形成されている。受信部２２は、デジタルペン２１０から送信された信号を受信して、該信号を特定部２４０に送信する。特定部２４０は、前記実施形態におけるデジタルペン１０の特定部１６ａと同様の機能を有する。この構成によれば、図１７に示すように、デジタルペン２１０がドットパターンの画像を撮像素子１５ｂで取得し（ステップＳ２２）し、その画像信号がデジタルペン２１０から表示装置２２０へ送信される（ステップＳ２３）。そして、表示装置２２０の特定部２４０が該画像信号からデジタルペン２１０の位置を特定する（ステップＳ２４）。それ以外の処理は、前記実施形態と同様である。
【０１００】
尚、デジタルペン２１０において、ドットパターンの画像を取得後、画像処理まで行ってデータ量を低減した後に、画像処理後の信号を表示装置２２０へ送信してもよい。つまり、デジタルペン１０が指示する表示部２１上の位置に関する情報をデジタルペン１０，２１０が取得し、該位置に関する情報がデジタルペン１０，２１０から表示装置２０，２２０へ送信され、表示装置２０，２２０が該位置に関する情報に応じて様々な表示制御を行う限りにおいては、該位置に関する情報はどのようなものであってもよい。
【０１０１】
また、表示部２１上におけるデジタルペンの位置を特定する特定部は、デジタルペン１０および表示装置２０とは別個の制御装置として、設けてもかまわない。例えば、ディスプレイ装置（表示装置の例）とＰＣ本体（制御装置の例）とを備えたデスクトップＰＣにデジタルペンを加えた表示制御システムにおいては、ディスプレイ装置の表示部にドットパターンが設けられ、デジタルペンが該ドットパターンを光学的に読み取ってＰＣ本体へ送信し、ＰＣ本体がドットパターンからデジタルペンの位置を特定し、該特定した位置に応じた処理を表示装置に命令するようにしてもよい。
【０１０２】
また、前記実施形態では、圧力センサ１３を、圧力が作用しているか否かを判定することだけに用いているが、これに限られるものではない。例えば、圧力センサ１３の検出結果に基づいて圧力の大きさを検出するように構成してもよい。これにより、圧力の連続的な変化を読み取ることができる。その結果、圧力の大きさに基づいて、表示される線の太さや濃さを変化させることができる。
【０１０３】
尚、前記実施形態では、圧力センサ１３を用いて、デジタルペン１０による入力の有無を検出しているが、これに限られるものではない。デジタルペン１０に入力のオン・オフを切り替えるスイッチを設け、スイッチがオンされたときに入力が有ると判定するように構成してもよい。この場合、デジタルペン１０が表示部２１の表面に接触していなくても、入力を行うことができる。または、表示装置２０が表示部２１の表面を所定の振動数で振動させ、デジタルペン１０が表示部２１の表面に接触することによる振動数の変化を表示装置２０が検出することによって、入力の有無を検出するように構成してもよい。
【０１０４】
前記実施形態では、画素領域３２は、長方形状であるが、これに限られるものではない。画素領域３２は、三角形や平行四辺形などの形状でもよく、これらを組み合わせた形状であってもよい。画素領域３２の形状は、表示装置が文字や映像を出力できるものであればよい。また、ブラックマトリクス３１も、画素領域３２の形状に合わせて適宜変更し得る。
【０１０５】
また、前記ドット３３を配置するための第１及び第２基準線３４，３５は、前記実施形態に限られるものではない。例えば、第１基準線３４はブラックマトリクス３１上に規定してもよいし、画素領域３２上に規定してもよい。さらには、第１基準線３４を何色の画素領域３２上に規定するかは任意に選択することができる。第２基準線３５についても同様である。
【０１０６】
前記実施形態では、６ドット×６ドットの単位エリアでドットパターンを形成しているが、これに限られるものではない。単位エリアを構成するドットの個数は、デジタルペン１０や表示装置２０の設計に応じて適宜設定することができる。また、ドットパターンの構成は、所定エリアに含まれるドットそれぞれの配置の組合せに限られるものではない。ドットパターンが特定の位置情報を表すことができる限り、コーディングの手法は前記実施形態に限られるものではない。
【０１０７】
前記実施形態では、位置情報パターンがドットで構成されているが、これに限られるものではない。ドットの代わりに、三角形、四角形等の図形やアルファベット等の文字で表されるマークによって位置情報パターンが構成されていてもよい。例えば、マークは、画素領域３２の全面を塗りつぶして形成されていてもよい。
【０１０８】
また、ドット３３は、カラーフィルタ３０に設けられているが、これに限られるものではない。ドット３３は、サブ画素４１に対応する位置であれば、ガラス基板２５や偏光フィルタ２６に設けられていてもよい。さらには、表示パネル２４は、ドット３３が形成された、カラーフィルタ３０、ガラス基板２５及び偏光フィルタ２６とは別のシートを備える構成であってもよい。あるいは、ドット３３を、表示パネル２４の画素４０で表現することもできる。すなわち、前記「１」〜「４」に対応する位置の画素４０又はサブ画素４１の表示を制御することによって、表示部２１にドット３３を設ける構成を実現してもよい。
【０１０９】
特定部１６ａは、演算により、ドットパターンを位置座標に変換しているが、これに限られるものではない。例えば、特定部１６ａは、全てのドットパターンと、そのそれぞれに紐付けされた位置座標を記憶しておき、取得されたドットパターンを、記憶しておいたドットパターンと位置座標との関係に照らし合わせて、位置座標を特定するようにしてもよい。
【産業上の利用可能性】
【０１１０】
以上説明したように、ここに開示された技術は、表示パネル、表示装置及び表示制御システムについて有用である。
【符号の説明】
【０１１１】
１００，２００  表示制御システム
１０，２１０    光学式デジタルペン（指示装置）
１１            本体部
１２            ペン先部
１３            圧力センサ
１４            照射部
１５            読取部
１５ａ          対物レンズ
１５ｂ          撮像素子
１６            制御部
１６ａ          特定部
１６ｂ          ペン側マイコン
１７            送信部
１９            電源
２０，２２０    表示装置
２１            表示部
２２            受信部
２３            表示側マイコン
２４            表示パネル
３０            カラーフィルタ
３１            ブラックマトリクス
３２            セル
３３            ドット（マーク）
３４            第１基準線
３５            第２基準線
４０            画素
４１            サブ画素
【手続補正２】
【補正対象書類名】特許請求の範囲
【補正対象項目名】全文
【補正方法】変更
【補正の内容】
【特許請求の範囲】
【請求項１】
複数の画素が設けられて画像を表示する表示部を有する表示装置と、前記表示部上の位置を指示する指示装置とを備え、該指示装置に指示された位置に応じた表示制御を行う表示制御システムであって、
前記表示部には、該表示部上の位置を表す位置情報パターンが設けられ、
前記指示装置は、前記表示部上において指示している位置の前記位置情報パターンを光学的に読み取るように構成され、
前記画素は、複数の異なる色のサブ画素を有し、
前記位置情報パターンは、複数のマークの集合で構成され、
前記マークのうち半数以上は、前記複数の異なる色のうちの特定の一色の前記サブ画素に設けられている表示制御システム。
【請求項２】
請求項１に記載の表示制御システムにおいて、
全ての前記マークは、前記特定の一色の前記サブ画素に設けられている表示制御システム。
【請求項３】
請求項１に記載の表示制御システムにおいて、
前記特定の一色は、前記複数の異なる色のうちの視感度が最も高い色以外の色である表示制御システム。
【請求項４】
請求項１に記載の表示制御システムにおいて、
前記マークは、前記特定の一色の前記サブ画素の全てに設けられている表示制御システム。
【請求項５】
請求項１に記載の表示制御システムにおいて、
前記位置情報パターンは、前記サブ画素に設けられた複数のマークの集合で構成され、
各色の前記サブ画素のうち、視感度が最も高い色の前記サブ画素に設けられた前記マークの数が最も少ない表示制御システム。
【請求項６】
請求項１に記載の表示制御システムにおいて、
前記位置情報パターンは、前記サブ画素に設けられた複数のマークの集合で構成され、
各色の前記サブ画素のうち、視感度が最も低い色の前記サブ画素に設けられた前記マークの数が最も多い表示制御システム。
【請求項７】
請求項６に記載の表示制御システムにおいて、
前記マークは、前記視感度が最も高い色の前記サブ画素に設けられておらず、該視感度が最も高い色以外の色の前記サブ画素に設けられている表示制御システム。
【請求項８】
複数の画素が設けられて画像を表示する表示部を有する表示装置であって、
前記表示部には、外部から光学的に読み取り可能であって該表示部上の位置を表す位置情報パターンが設けられ、
前記画素は、複数の異なる色のサブ画素を有し、
前記位置情報パターンは、複数のマークの集合で構成され、
前記マークのうち半数以上は、前記複数の異なる色のうちの特定の一色の前記サブ画素に設けられている表示装置。
【請求項９】
請求項８に記載の表示装置において、
全ての前記マークは、前記特定の一色の前記サブ画素に設けられている表示装置。
【請求項１０】
請求項８に記載の表示装置において、
前記特定の一色は、前記複数の異なる色のうちの視感度が最も高い色以外の色である表示装置。
【請求項１１】
請求項８に記載の表示装置において、
前記マークは、前記特定の一色の前記サブ画素の全てに設けられている表示装置。
【請求項１２】
請求項８に記載の表示装置において、
前記位置情報パターンは、前記サブ画素に設けられた複数のマークの集合で構成され、
各色の前記サブ画素のうち、視感度が最も高い色の前記サブ画素に設けられた前記マークの数が最も少ない表示装置。
【請求項１３】
請求項８に記載の表示装置において、
前記位置情報パターンは、前記サブ画素に設けられた複数のマークの集合で構成され、
各色の前記サブ画素のうち、視感度が最も低い色の前記サブ画素に設けられた前記マークの数が最も多い表示装置。
【請求項１４】
請求項１３に記載の表示装置において、
前記マークは、前記視感度が最も高い色の前記サブ画素に設けられておらず、該視感度が最も高い色以外の色の前記サブ画素に設けられている表示装置。
【手続補正３】
【補正対象書類名】図面
【補正対象項目名】全図
【補正方法】変更
【補正の内容】
【図１】
2013161246.tif 000020
【図２】
2013161246.tif 000021
【図３】
2013161246.tif 000022
【図４】
2013161246.tif 000023
【図５】
2013161246.tif 000024
【図６】
2013161246.tif 000025
【図７】
2013161246.tif 000026
【図８】
2013161246.tif 000027
【図９】
2013161246.tif 000028
【図１０】
2013161246.tif 000029
【図１１】
2013161246.tif 000030
【図１２】
2013161246.tif 000031
【図１３】
2013161246.tif 000032
【図１４】
2013161246.tif 000033
【図１５】
2013161246.tif 000034
【図１６】
2013161246.tif 000035
【図１７】
2013161246.tif 000036
【国際調査報告】
2013161246.tif 000037
2013161246.tif 000038